(57)【要約】  本発明の実施例は、サービス制御方法、モビリティ管理エンティティ及び移動交換局を提供し、この方法は、１つ以上のユーザ装置を決定するステップと、請求されていない回線交換フォールバック（CSFB）オフロードのシナリオでは、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップ、又は請求された回線交換フォールバック（CSFB）オフロードのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信するステップとを含む。これにより、ユーザ装置は、音声呼の失敗を被るのではなくCSドメインを介して通信することができる。
2016513418.tif 000002
【特許請求の範囲】
【請求項１】
モビリティ管理エンティティ（MME）により実行されるサービス制御方法であり、前記MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである方法であって、
１つ以上のユーザ装置を決定するステップと、
請求されていない回線交換フォールバック（CSFB）オフロードのシナリオでは、前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップであり、前記登録承認メッセージ又は前記コンバインド承認メッセージは、ボイス・オーバー・インターネットプロトコル（IP）マルチメディアサブシステム（IMS）（VoIMS）が利用可能でないことを前記１つ以上のユーザ装置に示すステップ、又は
請求された回線交換フォールバック（CSFB）オフロードのシナリオでは、前記１つ以上のユーザ装置により送信された登録要求メッセージ又はコンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、VoIMSが利用可能でないことを前記１つ以上のユーザ装置に示すステップと
を有する方法。
【請求項２】
前記登録要求メッセージは、アタッチメッセージ又はトラッキングエリアアップデート（TAU）メッセージであり、
前記登録承認メッセージは、アタッチ承認メッセージ又はTAU承認メッセージであり、
前記コンバインド登録要求メッセージは、コンバインドアタッチメッセージ又はコンバインドTAUメッセージであり、
前記コンバインド登録承認メッセージは、コンバインドアタッチ承認メッセージ又はコンバインドTAU承認メッセージである、請求項１に記載の方法。
【請求項３】
前記１つ以上のユーザ装置を決定する前に、前記方法は、
前記MMEが輻輳にあることを決定するステップを更に有する、請求項１に記載の方法。
【請求項４】
前記MMEがネットワーク輻輳にあることを決定するステップは、
ネットワーク側デバイスにより送信されたセル輻輳情報に従って前記MMEがネットワーク輻輳にあることを決定するステップであり、前記セル輻輳情報は、セル輻輳レベル及びセル情報を有するステップ、又は
輻輳統計情報が予め設定された閾値に到達した場合、前記MMEがネットワーク輻輳にあることを決定するステップであり、前記輻輳統計情報は、ロング・ターム・エボリューション（LTE）セルに基づくシグナリングプレーン輻輳統計情報及びサービス品質クラス識別子（QCI）ベアラ設定成功率を有するステップ
を有する、請求項３に記載の方法。
【請求項５】
１つ以上のユーザ装置を決定するステップは、
ネットワーク側デバイスにより送信されたユーザ装置情報に従って前記１つ以上のユーザ装置を決定するステップであり、前記ユーザ装置情報は、前記ネットワーク側デバイスによりサービス提供されるユーザ装置の位置情報、前記ネットワーク側デバイスによりサービス提供される前記ユーザ装置の状態情報及び前記ネットワーク側デバイスによりサービス提供される前記ユーザ装置のサービス情報のうち１つ又は複数を有するステップを有する、請求項１に記載の方法。
【請求項６】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、前記コンバインドTAUメッセージであるステップと、
前記コンバインドTAUメッセージが受信された場合、VoIMSが利用可能でないことを示すために、前記コンバインド登録承認メッセージのIMSボイス・オーバー・PSセッション・サポート・インジケーション（IMS  Voice  over  PS  session  supported  Indication）を偽に設定し、前記コンバインド登録承認メッセージを前記１つ以上のユーザ装置に送信するステップであり、前記コンバインド登録承認メッセージは、前記コンバインドTAU承認メッセージであるステップと
を有する、請求項２に記載の方法。
【請求項７】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、前記TAUメッセージであるステップと、
前記TAUメッセージが受信された場合、VoIMSが利用可能でないことを示すために、前記登録承認メッセージのIMSボイス・オーバー・PSセッション・サポート・インジケーション（IMS  Voice  over  PS  session  supported  Indication）を偽に設定し、前記登録承認メッセージを前記１つ以上のユーザ装置又は複数のユーザ装置に送信するステップであり、前記登録承認メッセージは、TAU承認メッセージであるステップと
を有する、請求項２に記載の方法。
【請求項８】
前記１つ以上のユーザ装置が登録要求メッセージ又はコンバインド登録要求メッセージをMMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであるステップと、
前記アタッチメッセージが受信された場合、VoIMSが利用可能でないことを示すために、前記登録承認メッセージのIMSボイス・オーバー・PSセッション・サポート・インジケーション（IMS  Voice  over  PS  session  supported  Indication）を偽に設定し、前記登録承認メッセージを前記１つ以上のユーザ装置に送信するステップであり、前記登録承認メッセージは、アタッチ登録承認メッセージであるステップと
を有する、請求項２に記載の方法。
【請求項９】
オフロード指示が前記ユーザ装置に送信された場合、前記方法は、
前記１つ以上のユーザ装置がCSFBオフロードされたユーザ装置であることを決定するステップと、
SGsインタフェースを介してコンバインドロケーションアップデート手順において、オフロード指示を移動交換局（MSC）に送信するステップであり、前記MSCが前記１つ以上のユーザ装置を管理及び制御するために、前記オフロード指示は、前記１つ以上のユーザ装置がCSFBオフロードされたユーザ装置であることを前記MSCに通知するために使用されるステップと
を更に有する、請求項１ないし８のうちいずれか１項に記載の方法。
【請求項１０】
前記１つ以上のユーザ装置を決定する間に、前記１つ以上のユーザ装置がボイス・オーバー・ロング・ターム・エボリューション（VoLTE）ユーザ装置に戻されるために、前記１つ以上のユーザ装置に印を付けるステップを更に有する、請求項１ないし９のうちいずれか１項に記載の方法。
【請求項１１】
移動交換局（MSC）により実行されるサービス制御方法であって、
モビリティ管理エンティティ（MME）により送信されたオフロード指示を受信するステップであり、前記オフロード指示は、１人以上のユーザが回線交換フォールバック（CSFB）オフロードが実行されたユーザであることを通知するために使用されるステップと、
前記オフロード指示に従って、CSFBオフロードされた前記ユーザがオフロードされたユーザであることを決定するステップと、
前記オフロードされたユーザにより行われた音声呼が終了した場合、基地局又は無線ネットワークコントローラが高速折り返し手順を実行するために、基地局又は無線ネットワークコントローラに送信されるクリアメッセージに折り返し情報を追加するステップであり、前記折り返し情報は、第４世代（4G）公衆陸上移動ネットワーク（PLMN）情報及びCSFB情報を有するステップと
を有する方法。
【請求項１２】
前記オフロードされたユーザの音声呼フォールバックの課金データレコードに料金指示を追加するステップであり、前記料金指示は、前記オフロードされたユーザがボイス・オーバー・ロング・ターム・エボリューション（VoLTE）ユーザと同じ料金ポリシーを使用することを示すために使用されるステップを更に有する、請求項１１に記載の方法。
【請求項１３】
前記オフロードされたユーザが音声呼を行った場合、好ましくは高速符号化及び復号化が使用されることを決定するステップを更に有する、請求項１１に記載の方法。
【請求項１４】
モビリティ管理エンティティ（MME）により実行されるサービス制御方法であり、前記MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである方法であって、
１つ以上のユーザ装置を決定するステップであり、前記ユーザ装置は、ボイス・オーバー・ロング・ターム・エボリューション（VoLTE）をサポートするユーザ装置であるステップと、
ボイス・オーバー・IMS（VoIMS）への請求されていない切り替えのシナリオでは、前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップであり、前記登録承認メッセージ又は前記コンバインド承認メッセージは、ボイス・オーバー・インターネットプロトコル（IP）マルチメディアサブシステム（IMS）（VoIMS）が利用可能であることを前記１つ以上のユーザ装置に示すステップ、又は
ボイス・オーバー・IMS（VoIMS）への請求された切り替えのシナリオでは、前記１つ以上のユーザ装置により送信された登録要求メッセージ又はコンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、VoIMSが利用可能であることを前記１つ以上のユーザ装置に示すステップと
を有する方法。
【請求項１５】
前記登録要求メッセージは、アタッチメッセージ又はトラッキングエリアアップデート（TAU）メッセージであり、
前記登録承認メッセージは、アタッチ承認メッセージ又はTAU承認メッセージであり、
前記コンバインド登録要求メッセージは、コンバインドアタッチメッセージ又はコンバインドTAUメッセージであり、
前記コンバインド登録承認メッセージは、コンバインドアタッチ承認メッセージ又はコンバインドTAU承認メッセージである、請求項１４に記載の方法。
【請求項１６】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドTAUメッセージであるステップと、
前記コンバインドTAUメッセージが受信された場合、VoIMSが利用可能であることを示すために、前記コンバインド登録承認メッセージのIMSボイス・オーバー・PSセッション・サポート・インジケーション（IMS  Voice  over  PS  session  supported  Indication）を真に設定し、前記コンバインド登録承認メッセージを前記１つ以上のユーザ装置に送信するステップであり、前記コンバインド登録承認メッセージは、前記コンバインドTAU承認メッセージであるステップと
を有する、請求項１５に記載の方法。
【請求項１７】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、前記TAUメッセージであるステップと、
前記TAUメッセージが受信された場合、VoIMSが利用可能であることを示すために、前記登録承認メッセージのIMSボイス・オーバー・PSセッション・サポート・インジケーション（IMS  Voice  over  PS  session  supported  Indication）を真に設定し、前記登録承認メッセージを前記１つ以上のユーザ装置又は複数のユーザ装置に送信するステップであり、前記登録承認メッセージは、前記TAU承認メッセージであるステップと
を有する、請求項１５に記載の方法。
【請求項１８】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、前記アタッチメッセージであるステップと、
前記アタッチメッセージが受信された場合、VoIMSが利用可能であることを示すために、前記登録承認メッセージのIMSボイス・オーバー・PSセッション・サポート・インジケーション（IMS  Voice  over  PS  session  supported  Indication）を真に設定し、前記登録承認メッセージを前記１つ以上のユーザ装置に送信するステップであり、前記登録承認メッセージは、アタッチ登録承認メッセージであるステップと
を有する、請求項１５に記載の方法。
【請求項１９】
前記１つ以上のユーザ装置を決定した後に、前記１つ以上のユーザ装置を削除することを前記MSCに通知するために、復帰指示を移動交換局（MSC）に送信するステップであり、前記復帰指示は、国際移動体加入者識別番号（IMSI）デタッチメッセージであるステップを更に有する、請求項１４ないし１８のうちいずれか１項に記載の方法。
【請求項２０】
移動交換局（MSC）により実行されるサービス制御方法であって、
モビリティ管理エンティティ（MME）により送信された復帰指示を受信するステップと、
前記復帰指示に従って１人以上のユーザを削除することを決定するステップであり、前記１人以上のユーザは、回線交換フォールバック（CSFB）オフロードが実行されたユーザであるステップと
を有する方法。
【請求項２１】
前記復帰指示は、国際移動体加入者識別番号（IMSI）デタッチメッセージである、請求項２０に記載の方法。
【請求項２２】
インターネットプロトコル（IP）マルチメディアサブシステム（IMS）ボイス・オーバー・パケット交換（PS）セッション（IMS  Voice  Over  PS  session）をサポートする移動ネットワークのMMEであるモビリティ管理エンティティ（MME）であって、
１つ以上のユーザ装置を決定するように構成された制御ユニットと、
前記１つ以上のユーザ装置により送信された登録要求メッセージ又はコンバインド登録要求メッセージを受信するように構成された受信ユニットと
を有し、
前記制御ユニットは、登録承認メッセージ又はコンバインド登録承認メッセージを決定するように更に構成され、前記登録承認メッセージ又は前記複数のコンバインド登録メッセージは、ボイス・オーバー・インターネットプロトコル（IP）マルチメディアサブシステム（IMS）（VoIMS）が利用可能でないことを前記１つ以上のユーザ装置に示すために使用され、
前記MMEは、前記登録承認メッセージ又は前記コンバインド登録承認メッセージを前記１つ以上のユーザ装置に送信するように構成された送信ユニットを有するMME。
【請求項２３】
前記送信ユニットは、前記１つ以上のユーザ装置が前記登録要求メッセージ又は前記コンバインド登録要求メッセージを前記MMEに送信することをトリガするために、通知メッセージを前記１つ以上のユーザ装置に送信するように更に構成される、請求項２２に記載のMME。
【請求項２４】
前記制御ユニットは、前記MMEがネットワーク輻輳にあることを決定するように更に構成される、請求項２２又は２３に記載のMME。
【請求項２５】
前記受信ユニットは、ネットワーク側デバイスにより送信されたセル輻輳メッセージを受信するように更に構成され、前記セル輻輳メッセージは、セル輻輳レベル及びセル情報を有し、
前記制御ユニットは、前記セル輻輳メッセージに従って前記MMEがネットワーク輻輳にあることを決定するように具体的に構成される、請求項２３に記載のMME。
【請求項２６】
前記制御ユニットは、輻輳統計情報を収集するように更に構成され、前記輻輳統計情報は、ロング・ターム・エボリューション（LTE）セルに基づくシグナリングプレーン輻輳統計情報及びサービス品質クラス識別子（QCI）ベアラ設定成功率を有し、
前記制御ユニットは、前記輻輳統計情報に従って前記MMEがネットワーク輻輳にあることを決定するように具体的に構成される、請求項２４に記載のMME。
【請求項２７】
前記受信ユニットは、ネットワーク側デバイスにより送信されたユーザ装置情報を受信するように更に構成され、前記ユーザ装置情報は、前記ネットワーク側デバイスによりサービス提供されるユーザ装置の位置情報、前記ネットワーク側デバイスによりサービス提供される前記ユーザ装置の状態情報及び前記ネットワーク側デバイスによりサービス提供される前記ユーザ装置のサービス情報のうち１つ又は複数を有し、
前記制御ユニットは、前記ユーザ装置情報に従って前記１つ以上のユーザ装置を決定するように具体的に構成される、請求項２２又は２３に記載のMME。
【請求項２８】
前記送信ユニットは、前記通知メッセージを前記１つ以上のユーザ装置に送信するように具体的に構成され、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドトラッキングエリアアップデート（TAU）メッセージであり、
前記受信ユニットは、前記コンバインドTAUメッセージを受信するように具体的に構成され、
前記制御ユニットは、VoIMSが利用可能でないことを示すために、前記コンバインド登録承認メッセージのIMSボイス・オーバー・PSセッション・サポート・インジケーション（IMS  Voice  over  PS  session  supported  Indication）を偽に設定するように具体的に構成され、前記コンバインド登録承認メッセージは、コンバインドTAU承認メッセージであり、
前記送信ユニットは、前記コンバインドTAU承認メッセージを前記１つ以上のユーザ装置に送信するように具体的に構成される、請求項２３に記載のMME。
【請求項２９】
前記送信ユニットは、前記通知メッセージを前記１つ以上のユーザ装置に送信するように具体的に構成され、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、TAUメッセージであり、
前記受信ユニットは、前記１つ以上のユーザ装置により送信された前記TAUメッセージを受信するように具体的に構成され、
前記制御ユニットは、VoIMSが利用可能でないことを示すために、前記登録承認メッセージのIMSボイス・オーバー・PSセッション・サポート・インジケーション（IMS  Voice  over  PS  session  supported  Indication）を偽に設定するように具体的に構成され、前記登録承認メッセージは、TAU承認メッセージであり、
前記送信ユニットは、前記TAU承認メッセージを前記１つ以上のユーザ装置に送信するように具体的に構成される、請求項２３に記載のMME。
【請求項３０】
前記送信ユニットは、前記通知メッセージを前記１つ以上のユーザ装置に送信するように具体的に構成され、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであり、
前記受信ユニットは、前記１つ以上のユーザ装置により送信された前記アタッチメッセージを受信するように具体的に構成され、
前記制御ユニットは、VoIMSが利用可能でないことを示すために、前記登録承認メッセージのIMSボイス・オーバー・PSセッション・サポート・インジケーション（IMS  Voice  over  PS  session  supported  Indication）を偽に設定するように具体的に構成され、前記登録承認メッセージは、アタッチ承認メッセージであり、
前記送信ユニットは、前記アタッチ承認メッセージを前記１つ以上のユーザ装置に送信するように具体的に構成される、請求項２３に記載のMME。
【請求項３１】
前記制御ユニットは、前記１つ以上のユーザ装置が回線交換フォールバック（CSFB）オフロードが実行されたユーザ装置であることを決定するように更に構成され、
前記送信ユニットは、SGsインタフェースを介してコンバインドロケーションアップデート手順において、オフロード指示を移動交換局（MSC）に送信するように更に構成され、前記オフロード指示は、前記１つ以上のユーザ装置がCSFBオフロードされたユーザ装置であることを前記MSCに通知するために使用される、請求項２２ないし３０のうちいずれか１項に記載のMME。
【請求項３２】
前記制御ユニットは、前記１つ以上のユーザ装置に印を付けるように更に構成される、請求項２２ないし３１のうちいずれか１項に記載のMME。
【請求項３３】
移動交換局（MSC）であって、
モビリティ管理エンティティ（MME）により送信されたオフロード指示を受信するように構成された受信ユニットと、
前記オフロード指示に従って、回線交換フォールバック（CSFB）オフロードが実行されたユーザがオフロードされたユーザであることを決定するように構成された制御ユニットと
を有し、
前記制御ユニットは、クリアメッセージに折り返し情報を追加するように更に構成され、前記折り返し情報は、第４世代（4G）公衆陸上移動ネットワーク（PLMN）情報及びCSFB情報を有し、
前記MSCは、前記クリアメッセージを基地局又は無線ネットワークコントローラに送信するように構成された送信ユニットを有するMSC。
【請求項３４】
前記制御ユニットは、前記オフロードされたユーザの音声呼フォールバックの課金データレコードに料金指示を追加するように更に構成され、前記料金指示は、前記オフロードされたユーザがボイス・オーバー・ロング・ターム・エボリューション（VoLTE）ユーザと同じ料金ポリシーを使用することを示すために使用される、請求項３３に記載のMSC。
【請求項３５】
前記制御ユニットは、前記オフロードされたユーザが音声呼を行った場合、好ましくは高速符号化及び復号化が使用されることを決定するように更に構成される、請求項３３に記載のMSC。
【請求項３６】
インターネットプロトコル（IP）マルチメディアサブシステム（IMS）ボイス・オーバー・パケット交換（PS）セッション（IMS  Voice  Over  PS  session）をサポートする移動ネットワークのMMEであるモビリティ管理エンティティ（MME）であって、
１つ以上のユーザ装置を決定するように構成された制御ユニットであり、前記１つ以上のユーザ装置は、ボイス・オーバー・LTE（VoLTE）をサポートするユーザ装置である制御ユニットと、
前記１つ以上のユーザ装置により送信された登録要求メッセージ又はコンバインド登録要求メッセージを受信するように構成された受信ユニットと
を有し、
前記制御ユニットは、登録承認メッセージ又はコンバインド登録承認メッセージを決定するように更に構成され、前記登録承認メッセージ又は前記複数のコンバインド登録メッセージは、ボイス・オーバー・インターネットプロトコル（IP）マルチメディアサブシステム（IMS）（VoIMS）が利用可能であることを前記１つ以上のユーザ装置に示すために使用され、
前記MMEは、前記登録承認メッセージ又は前記コンバインド登録承認メッセージを前記１つ以上のユーザ装置に送信するように構成された送信ユニットを有するMME。
【請求項３７】
前記送信ユニットは、前記１つ以上のユーザ装置が前記登録要求メッセージ又は前記コンバインド登録承認メッセージを前記MMEに送信することをトリガするために、通知メッセージを前記１つ以上のユーザ装置に送信するように更に構成される、請求項３６に記載のMME。
【請求項３８】
前記送信ユニットは、前記通知メッセージを前記１つ以上のユーザ装置に送信するように具体的に構成され、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドトラッキングエリアアップデート（TAU）メッセージであり、
前記受信ユニットは、前記コンバインドTAUメッセージを受信するように具体的に構成され、
前記制御ユニットは、VoIMSが利用可能であることを示すために、前記コンバインド登録承認メッセージのIMSボイス・オーバー・PSセッション・サポート・インジケーション（IMS  Voice  over  PS  session  supported  Indication）を真に設定するように具体的に構成され、前記コンバインド登録承認メッセージは、コンバインドTAU承認メッセージであり、
前記送信ユニットは、前記コンバインドTAU承認メッセージを前記１つ以上のユーザ装置に送信するように具体的に構成される、請求項３７に記載のMME。
【請求項３９】
前記送信ユニットは、前記通知メッセージを前記１つ以上のユーザ装置に送信するように具体的に構成され、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、TAUメッセージであり、
前記受信ユニットは、前記１つ以上のユーザ装置により送信された前記TAUメッセージを受信するように具体的に構成され、
前記制御ユニットは、VoIMSが利用可能であることを示すために、前記登録承認メッセージのIMSボイス・オーバー・PSセッション・サポート・インジケーション（IMS  Voice  over  PS  session  supported  Indication）を真に設定するように具体的に構成され、前記登録承認メッセージは、TAU承認メッセージであり、
前記送信ユニットは、前記TAU承認メッセージを前記１つ以上のユーザ装置に送信するように具体的に構成される、請求項３７に記載のMME。
【請求項４０】
前記送信ユニットは、前記通知メッセージを前記１つ以上のユーザ装置に送信するように具体的に構成され、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであり、
前記受信ユニットは、前記１つ以上のユーザ装置により送信された前記アタッチメッセージを受信するように具体的に構成され、
前記制御ユニットは、VoIMSが利用可能であることを示すために、前記登録承認メッセージのIMSボイス・オーバー・PSセッション・サポート・インジケーション（IMS  Voice  over  PS  session  supported  Indication）を真に設定するように具体的に構成され、前記登録承認メッセージは、アタッチ承認メッセージであり、
前記送信ユニットは、前記アタッチ承認メッセージを前記１つ以上のユーザ装置に送信するように具体的に構成される、請求項３７に記載のMME。
【請求項４１】
前記送信ユニットは、国際移動体加入者識別番号（IMSI）デタッチメッセージを移動交換局（MSC）に送信するように更に構成される、請求項３６ないし４０のうちいずれか１項に記載のMME。
【請求項４２】
モビリティ管理エンティティ（MME）により送信された復帰指示を受信するように構成された受信ユニットと、
前記復帰指示に従って１人以上のユーザを決定及び削除するように構成された制御ユニットであり、前記１人以上のユーザは、回線交換フォールバック（CSFB）オフロードが実行されたユーザである制御ユニットと
を有する移動交換局（MSC）。
【発明の詳細な説明】
【技術分野】
【０００１】
［関連出願への相互参照］
この出願は、2013年2月22日に“SERVICE  CONTROL  METHOD,  MOBILITY  MANAGEMENT  ENTITY,  AND  MOBILE  SWITCHING  CENTER”という題で中国特許庁に出願された中国特許出願第201310057676.X号の優先権を主張し、その全内容を援用する。
【０００２】
［技術分野］
本発明の実施例は、無線通信技術の分野に関し、特にサービス制御方法、モビリティ管理エンティティ及び移動交換局に関する。
【背景技術】
【０００３】
技術の進展により、ロング・ターム・エボリューション（Long  Term  Evolution、略して“LTE”）により見込まれる高帯域幅は、移動通信帯域幅の増加にとって大きな機会をもたらしている。LTEデータサービスと比べて、ボイス・オーバー・LTE（Voice  Over  LTE、略して“VoLTE”）は、LTEの無線カバレッジリソースについて高い要件を課している。この理由は、主にVoLTEは、高いサービス品質（Quality-of-Service、QoS）を要求しており、低い遅延耐性を有するからである。更に、VoLTEは、高解像度のオーディオ及びビデオ符号化及び復号化をサポートしており、これは、VoLTEが高帯域幅の要件を有しており、VoLTEの帯域幅の使用が好ましくはLTEリソーススケジューリングにより保証されることを必要とすることを意味する。前述の理由で、VoLTE加入者基盤の増加は、LTEセルのカバレッジ縮小を意味し、これにより、セル輻輳を増加させ、呼のドロップ又はブロックされた呼のような現象を生じる。
【発明の概要】
【０００４】
本発明の実施例は、ユーザ装置が音声呼の失敗を被るのではなくCSドメインを介して通信することができるための、サービス制御方法、モビリティ管理エンティティ及び移動交換局を提供する。
【０００５】
第１の態様によれば、本発明の実施例は、サービス制御方法を提供し、この方法は、モビリティ管理エンティティ（MME）により実行され、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。この方法は、１つ以上のユーザ装置を決定するステップと、請求されていない回線交換フォールバック（CSFB）オフロードのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド承認メッセージは、ボイス・オーバー・インターネットプロトコル（IP）マルチメディアサブシステム（IMS）（VoIMS）が利用可能でないことを１つ以上のユーザ装置に示すステップ、又は請求された回線交換フォールバック（CSFB）オフロードのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、VoIMSが利用可能でないことを１つ以上のユーザ装置に示すステップとを含む。
【０００６】
第１の態様を参照して、第１の可能な実現では、登録要求メッセージは、アタッチメッセージ又はトラッキングエリアアップデート（TAU）メッセージであり、登録承認メッセージは、アタッチ承認メッセージ又はTAU承認メッセージであり、コンバインド登録要求メッセージは、コンバインドアタッチメッセージ又はコンバインドTAUメッセージであり、コンバインド登録承認メッセージは、コンバインドアタッチ承認メッセージ又はコンバインドTAU承認メッセージである。
【０００７】
第１の態様を参照して、第２の可能な実現では、１つ以上のユーザ装置を決定する前に、この方法は、MMEがネットワーク輻輳にあることを決定するステップを更に含む。
【０００８】
第２の可能な実現を参照して、第３の可能な実現では、MMEがネットワーク輻輳にあることを決定するステップは、ネットワーク側デバイスにより送信されたセル輻輳情報に従ってMMEがネットワーク輻輳にあることを決定するステップであり、セル輻輳情報は、セル輻輳レベル及びセル情報を含むステップ、又は輻輳統計情報が予め設定された閾値に到達した場合、MMEがネットワーク輻輳にあることを決定するステップであり、輻輳統計情報は、ロング・ターム・エボリューション（LTE）セルに基づくシグナリングプレーン輻輳統計情報及びサービス品質クラス識別子（QCI）ベアラ設定成功率を含むステップを含む。
【０００９】
第１の態様を参照して、第４の可能な実現では、１つ以上のユーザ装置を決定するステップは、ネットワーク側デバイスにより送信されたユーザ装置情報に従って１つ以上のユーザ装置を決定するステップであり、ユーザ装置情報は、ネットワーク側デバイスによりサービス提供されるユーザ装置の位置情報、ネットワーク側デバイスによりサービス提供されるユーザ装置の状態情報及びネットワーク側デバイスによりサービス提供されるユーザ装置のサービス情報のうち１つ又は複数を含むステップを含む。
【００１０】
第２の可能な実現を参照して、第５の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置がコンバインド登録要求メッセージをMMEに送信することをトリガするために、国際移動体加入者識別番号（IMSI）デタッチメッセージであり、コンバインド登録要求メッセージは、コンバインドTAUメッセージであるステップと、コンバインドTAUメッセージが受信された場合、VoIMSが利用可能でないことを示すために、コンバインド登録承認メッセージのIMSボイス・オーバー・PSセッション・サポート・インジケーション（IMS  Voice  over  PS  session  supported  Indication）を偽に設定し、コンバインド登録承認メッセージを１つ以上のユーザ装置に送信するステップであり、コンバインド登録承認メッセージは、コンバインドTAU承認メッセージであるステップとを含む。
【００１１】
第２の可能な実現を参照して、第６の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであるステップと、TAUメッセージが受信された場合、VoIMSが利用可能でないことを示すために、登録承認メッセージのIMSボイス・オーバー・PSセッション・サポート・インジケーション（IMS  Voice  over  PS  session  supported  Indication）を偽に設定し、登録承認メッセージを１つ以上のユーザ装置又は複数のユーザ装置に送信するステップであり、登録承認メッセージは、TAU承認メッセージであるステップとを含む。
【００１２】
第２の可能な実現を参照して、第７の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、進化型パケットシステム（EPS）デタッチメッセージであり、登録要求メッセージは、アタッチメッセージであるステップと、アタッチメッセージが受信された場合、VoIMSが利用可能でないことを示すために、登録承認メッセージのIMSボイス・オーバー・PSセッション・サポート・インジケーション（IMS  Voice  over  PS  session  supported  Indication）を偽に設定し、登録承認メッセージを１つ以上のユーザ装置に送信するステップであり、登録承認メッセージは、アタッチ登録承認メッセージであるステップとを含む。
【００１３】
第１の態様又は第１の態様の前述の可能な実現のうちいずれか１つを参照して、第８の可能な実現では、オフロード指示がユーザ装置に送信された場合、この方法は、１つ以上のユーザ装置がCSFBオフロードされたユーザ装置であることを決定するステップと、SGsインタフェースを介してコンバインドロケーションアップデート手順において、切り替え指示を移動交換局（MSC）に送信するステップであり、MSCが１つ以上のユーザ装置を管理及び制御するために、切り替え指示は、１つ以上のユーザ装置がCSFBオフロードされたユーザ装置であることをMSCに通知するために使用されるステップとを更に含む。
【００１４】
第１の態様又は第１の態様の前述の可能な実現のうちいずれか１つを参照して、第９の可能な実現では、この方法は、１つ以上のユーザ装置を決定する間に、１つ以上のユーザ装置がVoLTEユーザ装置に戻されるために、１つ以上のユーザ装置に印を付けるステップを更に含む。
【００１５】
第２の態様によれば、本発明の実施例は、モビリティ管理エンティティ（MME）を提供し、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。MMEは、１つ以上のユーザ装置を決定するように構成された制御ユニットと、１つ以上のユーザ装置により送信された登録要求メッセージ又はコンバインド登録要求メッセージを受信するように構成された受信ユニットとを含み、制御ユニットは、登録承認メッセージ又はコンバインド登録承認メッセージを決定するように更に構成され、登録承認メッセージ又は複数のコンバインド登録メッセージは、ボイス・オーバー・インターネットプロトコル（IP）マルチメディアサブシステム（IMS）（VoIMS）が利用可能でないことを１つ以上のユーザ装置に示すために使用され、MMEは、登録承認メッセージ又はコンバインド登録承認メッセージを１つ以上のユーザ装置に送信するように構成された送信ユニットを含む。
【００１６】
第２の態様を参照して、第１の可能な実現では、送信ユニットは、１つ以上のユーザ装置が登録要求メッセージ又はコンバインド登録要求メッセージをMMEに送信することをトリガするために、通知メッセージを１つ以上のユーザ装置に送信するように更に構成される。
【００１７】
第２の態様又は第１の可能な実現を参照して、第３の可能な実現では、制御ユニットは、MMEがネットワーク輻輳にあることを決定するように更に構成される。
【００１８】
第３の可能な実現を参照して、第４の可能な実現では、受信ユニットは、ネットワーク側デバイスにより送信されたセル輻輳メッセージを受信するように更に構成され、セル輻輳メッセージは、セル輻輳レベル及びセル情報を含み、制御ユニットは、セル輻輳メッセージに従ってMMEがネットワーク輻輳にあることを決定するように具体的に構成される。
【００１９】
第３の可能な実現を参照して、第５の可能な実現では、制御ユニットは、輻輳統計情報を収集するように更に構成され、輻輳統計情報は、ロング・ターム・エボリューション（LTE）セルに基づくシグナリングプレーン輻輳統計情報及びサービス品質クラス識別子（QCI）ベアラ設定成功率を含み、制御ユニットは、輻輳統計情報に従ってMMEがネットワーク輻輳にあることを決定するように具体的に構成される。
【００２０】
第２の態様又は第１の可能な実現を参照して、第６の可能な実現では、受信ユニットは、ネットワーク側デバイスにより送信されたユーザ装置情報を受信するように更に構成され、ユーザ装置情報は、ネットワーク側デバイスによりサービス提供されるユーザ装置の位置情報、ネットワーク側デバイスによりサービス提供されるユーザ装置の状態情報及びネットワーク側デバイスによりサービス提供されるユーザ装置のサービス情報のうち１つ又は複数を含み、制御ユニットは、ユーザ装置情報に従って１つ以上のユーザ装置を決定するように具体的に構成される。
【００２１】
第２の可能な実現を参照して、第７の可能な実現では、送信ユニットは、通知メッセージを１つ以上のユーザ装置に送信するように具体的に構成され、通知メッセージは、１つ以上のユーザ装置がコンバインド登録要求メッセージをMMEに送信することをトリガするために、国際移動体加入者識別番号（IMSI）デタッチメッセージであり、コンバインド登録要求メッセージは、コンバインドトラッキングエリアアップデート（TAU）メッセージであり、受信ユニットは、コンバインドTAUメッセージを受信するように具体的に構成され、制御ユニットは、VoIMSが利用可能でないことを示すために、コンバインド登録承認メッセージのIMSボイス・オーバー・PSセッション・サポート・インジケーション（IMS  Voice  over  PS  session  supported  Indication）を偽に設定するように具体的に構成され、コンバインド登録承認メッセージは、コンバインドTAU承認メッセージであり、送信ユニットは、コンバインドTAU承認メッセージを１つ以上のユーザ装置に送信するように具体的に構成される。
【００２２】
第２の可能な実現を参照して、第８の可能な実現では、送信ユニットは、通知メッセージを１つ以上のユーザ装置に送信するように具体的に構成され、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであり、受信ユニットは、１つ以上のユーザ装置により送信されたTAUメッセージを受信するように具体的に構成され、制御ユニットは、VoIMSが利用可能でないことを示すために、登録承認メッセージのIMSボイス・オーバー・PSセッション・サポート・インジケーション（IMS  Voice  over  PS  session  supported  Indication）を偽に設定するように具体的に構成され、登録承認メッセージは、TAU承認メッセージであり、送信ユニットは、TAU承認メッセージを１つ以上のユーザ装置に送信するように具体的に構成される。
【００２３】
第２の可能な実現を参照して、第９の可能な実現では、送信ユニットは、通知メッセージを１つ以上のユーザ装置に送信するように具体的に構成され、通知メッセージは、１つ以上のユーザ装置が登録要求メッセージをMMEに送信することをトリガするために、進化型パケットシステム（EPS）デタッチメッセージであり、登録要求メッセージは、アタッチメッセージであり、受信ユニットは、１つ以上のユーザ装置により送信されたアタッチメッセージを受信するように具体的に構成され、制御ユニットは、VoIMSが利用可能でないことを示すために、登録承認メッセージのIMSボイス・オーバー・PSセッション・サポート・インジケーション（IMS  Voice  over  PS  session  supported  Indication）を偽に設定するように具体的に構成され、登録承認メッセージは、アタッチ承認メッセージであり、送信ユニットは、アタッチ承認メッセージを１つ以上のユーザ装置に送信するように具体的に構成される。
【００２４】
第２の態様又は第２の態様の前述の可能な実現のうちいずれか１つを参照して、第１０の可能な実現では、制御ユニットは、１つ以上のユーザ装置が回線交換フォールバック（CSFB）オフロードが実行されたユーザ装置であることを決定するように更に構成され、送信ユニットは、SGsインタフェースを介してコンバインドロケーションアップデート手順において、切り替え指示を移動交換局（MSC）に送信するように更に構成され、切り替え指示は、１つ以上のユーザ装置がCSFBオフロードされたユーザ装置であることをMSCに通知するために使用される。
【００２５】
第２の態様又は前述の可能な実現のうちいずれか１つを参照して、第１１の可能な実現では、制御ユニットは、１つ以上のユーザ装置に印を付けるように更に構成される。
【００２６】
LTEセルのQoSが保証できない場合、本発明において提供されるMMEは、VoIMSが利用可能でないことをユーザ装置に示すために、登録承認メッセージ又はコンバインド登録承認メッセージを使用することにより、CSFBオフロードを実行することができる。これにより、ユーザ装置は、音声呼の失敗を被るのではなくCSドメインを介して通信することができる。
【００２７】
第３の態様によれば、本発明の実施例は、サービス制御方法を提供し、この方法は、移動交換局（MSC）により実行される。この方法は、モビリティ管理エンティティ（MME）により送信された切り替え指示を受信するステップであり、切り替え指示は、１人以上のユーザが回線交換フォールバック（CSFB）オフロードが実行されたユーザであることを通知するために使用されるステップと、切り替え指示に従って、CSFBオフロードされたユーザがオフロードされたユーザであることを決定するステップと、オフロードされたユーザにより行われた音声呼が終了した場合、基地局又は無線ネットワークコントローラが高速折り返し手順を実行するために、基地局又は無線ネットワークコントローラに送信されるクリアメッセージに折り返し情報を追加するステップであり、折り返し情報は、第４世代（4G）公衆陸上移動ネットワーク（PLMN）情報及びCSFB情報を含むステップとを含む。
【００２８】
第３の態様を参照して、第１の可能な実現では、料金指示は、オフロードされたユーザの音声呼フォールバックの課金データレコードに追加され、料金指示は、オフロードされたユーザがボイス・オーバー・ロング・ターム・エボリューション（VoLTE）ユーザと同じ料金ポリシーを使用することを示すために使用される。
【００２９】
第３の態様を参照して、第２の可能な実現では、オフロードされたユーザが音声呼を行った場合、好ましくは高速符号化及び復号化が使用されることが決定される。
【００３０】
第４の態様によれば、本発明の実施例は、移動交換局（MSC）を提供し、MSCは、モビリティ管理エンティティ（MME）により送信された切り替え指示を受信するように構成された受信ユニットと、切り替え指示に従って、回線交換フォールバック（CSFB）オフロードが実行されたユーザがオフロードされたユーザであることを決定するように構成された制御ユニットとを含み、制御ユニットは、クリアメッセージに折り返し情報を追加するように更に構成され、折り返し情報は、第４世代（4G）公衆陸上移動ネットワーク（PLMN）情報及びCSFB情報を含み、MSCは、クリアメッセージを基地局又は無線ネットワークコントローラに送信するように構成された送信ユニットを含む。
【００３１】
第４の態様を参照して、第１の可能な実現では、制御ユニットは、オフロードされたユーザの音声呼フォールバックの課金データレコードに料金指示を追加するように更に構成され、料金指示は、オフロードされたユーザがボイス・オーバー・ロング・ターム・エボリューション（VoLTE）ユーザと同じ料金ポリシーを使用することを示すために使用される。
【００３２】
第４の態様を参照して、第２の可能な実現では、制御ユニットは、オフロードされたユーザが音声呼を行った場合、好ましくは高速符号化及び復号化が使用されることを決定するように更に構成される。
【００３３】
本発明において提供されるMSCは、CSFBオフロードされたユーザを習得し、基地局又はRNCにおいて高速折り返し手順をトリガするために、呼が終了した場合に折り返し情報をクリアメッセージに追加することができる。このように、基地局又はRNCは、ユーザ装置をLTEネットワークに迅速に戻すことができる。
【００３４】
第５の態様によれば、本発明の実施例は、サービス制御方法を提供し、この方法は、モビリティ管理エンティティ（MME）により実行され、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。この方法は、１つ以上のユーザ装置を決定するステップであり、ユーザ装置は、VoLTEをサポートするユーザ装置であるステップと、ボイス・オーバー・IMS（VoIMS）への請求されていない切り替えのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド承認メッセージは、ボイス・オーバー・インターネットプロトコル（IP）マルチメディアサブシステム（IMS）（VoIMS）が利用可能であることを１つ以上のユーザ装置に示すステップ、又はボイス・オーバー・IMS（VoIMS）への請求された切り替えのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、VoIMSが利用可能であることを１つ以上のユーザ装置に示すステップとを含む。
【００３５】
第５の態様を参照して、第１の可能な実現では、登録要求メッセージは、アタッチメッセージ又はトラッキングエリアアップデート（TAU）メッセージであり、登録承認メッセージは、アタッチ承認メッセージ又はTAU承認メッセージであり、コンバインド登録要求メッセージは、コンバインドアタッチメッセージ又はコンバインドTAUメッセージであり、コンバインド登録承認メッセージは、コンバインドアタッチ承認メッセージ又はコンバインドTAU承認メッセージである。
【００３６】
第１の可能な実現を参照して、第２の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置がコンバインド登録要求メッセージをMMEに送信することをトリガするために、国際移動体加入者識別番号（IMSI）デタッチメッセージであり、コンバインド登録要求メッセージは、コンバインドTAUメッセージであるステップと、コンバインドTAUメッセージが受信された場合、VoIMSが利用可能であることを示すために、コンバインド登録承認メッセージのIMSボイス・オーバー・PSセッション・サポート・インジケーション（IMS  Voice  over  PS  session  supported  Indication）を真に設定し、コンバインド登録承認メッセージを１つ以上のユーザ装置に送信するステップであり、コンバインド登録承認メッセージは、コンバインドTAU承認メッセージであるステップとを含む。
【００３７】
第２の可能な実現を参照して、第３の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであるステップと、TAUメッセージが受信された場合、VoIMSが利用可能であることを示すために、登録承認メッセージのIMSボイス・オーバー・PSセッション・サポート・インジケーション（IMS  Voice  over  PS  session  supported  Indication）を真に設定し、登録承認メッセージを１つ以上のユーザ装置又は複数のユーザ装置に送信するステップであり、登録承認メッセージは、TAU承認メッセージであるステップとを含む。
【００３８】
第２の可能な実現を参照して、第４の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、進化型パケットシステム（EPS）デタッチメッセージであり、登録要求メッセージは、アタッチメッセージであるステップと、アタッチメッセージが受信された場合、VoIMSが利用可能であることを示すために、登録承認メッセージのIMSボイス・オーバー・PSセッション・サポート・インジケーション（IMS  Voice  over  PS  session  supported  Indication）を真に設定し、登録承認メッセージを１つ以上のユーザ装置に送信するステップであり、登録承認メッセージは、アタッチ登録承認メッセージであるステップとを含む。
【００３９】
第５の態様又は前述の可能な実現のうちいずれか１つを参照して、第６の可能な実現では、この方法は、１つ以上のユーザ装置を決定した後に、１つ以上のユーザ装置を削除することをMSCに通知するために、国際移動体加入者識別番号（IMSI）デタッチメッセージを移動交換局（MSC）に送信するステップを更に含む。
【００４０】
第６の態様によれば、本発明の実施例は、モビリティ管理エンティティ（MME）を提供し、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。MMEは、１つ以上のユーザ装置を決定するように構成された制御ユニットであり、１つ以上のユーザ装置は、ボイス・オーバー・LTE（VoLTE）をサポートするユーザ装置である制御ユニットと、１つ以上のユーザ装置により送信された登録要求メッセージ又はコンバインド登録要求メッセージを受信するように構成された受信ユニットとを含み、制御ユニットは、登録承認メッセージ又はコンバインド登録承認メッセージを決定するように更に構成され、登録承認メッセージ又は複数のコンバインド登録メッセージは、ボイス・オーバー・インターネットプロトコル（IP）マルチメディアサブシステム（IMS）（VoIMS）が利用可能であることを１つ以上のユーザ装置に示すために使用され、MMEは、登録承認メッセージ又はコンバインド登録承認メッセージを１つ以上のユーザ装置に送信するように構成された送信ユニットを含む。
【００４１】
第６の態様を参照して、第１の可能な実現では、送信ユニットは、１つ以上のユーザ装置が登録要求メッセージ又はコンバインド登録承認メッセージをMMEに送信することをトリガするために、通知メッセージを１つ以上のユーザ装置に送信するように更に構成される。
【００４２】
第１の可能な実現を参照して、第２の可能な実現では、送信ユニットは、通知メッセージを１つ以上のユーザ装置に送信するように具体的に構成され、通知メッセージは、１つ以上のユーザ装置がコンバインド登録要求メッセージをMMEに送信することをトリガするために、国際移動体加入者識別番号（IMSI）デタッチメッセージであり、コンバインド登録要求メッセージは、コンバインドトラッキングエリアアップデート（TAU）メッセージであり、受信ユニットは、コンバインドTAUメッセージを受信するように具体的に構成され、制御ユニットは、VoIMSが利用可能であることを示すために、コンバインド登録承認メッセージのIMSボイス・オーバー・PSセッション・サポート・インジケーション（IMS  Voice  over  PS  session  supported  Indication）を真に設定するように具体的に構成され、コンバインド登録承認メッセージは、コンバインドTAU承認メッセージであり、送信ユニットは、コンバインドTAU承認メッセージを１つ以上のユーザ装置に送信するように具体的に構成される。
【００４３】
第１の可能な実現を参照して、第３の可能な実現では、送信ユニットは、通知メッセージを１つ以上のユーザ装置に送信するように具体的に構成され、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであり、受信ユニットは、１つ以上のユーザ装置により送信されたTAUメッセージを受信するように具体的に構成され、制御ユニットは、VoIMSが利用可能であることを示すために、登録承認メッセージのIMSボイス・オーバー・PSセッション・サポート・インジケーション（IMS  Voice  over  PS  session  supported  Indication）を真に設定するように具体的に構成され、登録承認メッセージは、TAU承認メッセージであり、送信ユニットは、TAU承認メッセージを１つ以上のユーザ装置に送信するように具体的に構成される。
【００４４】
第１の可能な実現を参照して、第４の可能な実現では、送信ユニットは、通知メッセージを１つ以上のユーザ装置に送信するように具体的に構成され、通知メッセージは、１つ以上のユーザ装置が登録要求メッセージをMMEに送信することをトリガするために、進化型パケットシステム（EPS）デタッチメッセージであり、登録要求メッセージは、アタッチメッセージであり、受信ユニットは、１つ以上のユーザ装置により送信されたアタッチメッセージを受信するように具体的に構成され、制御ユニットは、VoIMSが利用可能であることを示すために、登録承認メッセージのIMSボイス・オーバー・PSセッション・サポート・インジケーション（IMS  Voice  over  PS  session  supported  Indication）を真に設定するように具体的に構成され、登録承認メッセージは、アタッチ承認メッセージであり、送信ユニットは、アタッチ承認メッセージを１つ以上のユーザ装置に送信するように具体的に構成される。
【００４５】
第６の態様又は前述の可能な実現のうちいずれか１つを参照して、第５の可能な実現では、送信ユニットは、国際移動体加入者識別番号（IMSI）デタッチメッセージを移動交換局（MSC）に送信するように更に構成される。
【００４６】
LTEセルがVoIMSを提供することができる場合、ユーザ装置のユーザ経験を改善するために、本発明において提供されるMMEは、VoMISが利用可能であることをユーザ装置に示すために登録承認メッセージ又はコンバインド登録承認メッセージを使用することにより、CSドメインのユーザ装置をVoIMSに切り替えることができる。
【００４７】
第７の態様によれば、本発明の実施例は、サービス制御方法を提供し、この方法は、移動交換局（MSC）により実行される。この方法は、モビリティ管理エンティティ（MME）により送信された復帰指示を受信するステップと、復帰指示に従って１人以上のユーザを削除することを決定するステップであり、１人以上のユーザは、回線交換フォールバック（CSFB）オフロードが実行されたユーザであるステップとを含む。
【００４８】
第７の態様を参照して、第１の可能な実現では、復帰指示は、国際移動体加入者識別番号（IMSI）デタッチメッセージである。
【００４９】
第８の態様によれば、本発明の実施例は、移動交換局（MSC）を提供し、MSCは、モビリティ管理エンティティ（MME）により送信された復帰指示を受信するように構成された受信ユニットと、復帰指示に従って１人以上のユーザを決定及び削除するように構成された制御ユニットであり、１人以上のユーザは、回線交換フォールバック（CSFB）オフロードが実行されたユーザである制御ユニットとを含む。
【００５０】
本発明の実施例において提供されるMSCは、MMEからの復帰情報に従って、CSFBオフロードされたユーザを適時に削除することができる。
【図面の簡単な説明】
【００５１】
本発明の実施例の技術的対策を明確に説明するために、以下に、本発明の実施例を説明するために必要な添付図面を簡単に紹介する。明らかに、以下の説明の添付図面は、本発明の単に幾つかの実施例を示しているに過ぎず、当業者は、創造的取り組みを行うことなく、これらの添付図面から依然として他の図面を導き得る。
【図１】本発明の実施例によるサービス制御方法の概略フローチャート
【図２】本発明の実施例によるサービス制御方法の概略フローチャート
【図３Ａ】本発明の実施例によるサービス制御方法の概略フローチャート
【図３Ｂ】本発明の実施例によるサービス制御方法の概略フローチャート
【図４】本発明の実施例によるサービス制御方法の概略フローチャート
【図５】本発明の実施例によるサービス制御方法の概略フローチャート
【図６】本発明の実施例によるサービス制御方法の概略フローチャート
【図７】本発明の実施例によるMMEの構成ブロック図
【図８】本発明の実施例によるMSCの構成ブロック図
【図９】本発明の実施例によるMMEの構成ブロック図
【図１０】本発明の実施例によるMSCの構成ブロック図
【発明を実施するための形態】
【００５２】
以下に、本発明の実施例の添付図面を参照して、本発明の実施例の技術的対策を明確且つ完全に説明する。明らかに、説明する実施例は、本発明の実施例の全てではなく、一部に過ぎない。創造的取り組みを行うことなく本発明の実施例に基づいて当業者により得られる全ての他の実施例は、本発明の保護範囲内に入るものとする。
【００５３】
本発明の実施例の技術的対策は、グローバル移動通信システム（Global  System  for  Mobile  Communications、略して“GSM”）、符号分割多重アクセス（Code  Division  Multiple  Access、略して“CDMA”）システム、広帯域符号分割多重アクセス（Wideband  Code  Division  Multiple  Access、略して“WCDMA”）システム、汎用パケット無線サービス（General  Packet  Radio  Service、略して“GPRS”）、ロング・ターム・エボリューション（Long  Term  Evolution、略して“LTE”）システム、LTE周波数分割双方向（Frequency  Division  Duplex、略して“FDD”）システム、LTE時分割双方向（Time  Division  Duplex、略して“TDD”）、及びユニバーサル移動通信システム（Universal  Mobile  Telecommunication  System、略して“UMTS”）のような様々な通信システムに適用されてもよいことを認識すべきである。
【００５４】
ユーザ装置（User  Equipment、UE）はまた、移動端末（Mobile  Terminal、MT）、移動ユーザ装置等と呼ばれてもよく、無線アクセスネットワーク（例えば、Radio  Access  Network、RAN）を通じて１つ以上のコアネットワークと通信してもよい。ユーザ装置は、移動電話（“セルラ”電話とも呼ばれる）のような移動端末でもよく、移動端末を備えたコンピュータでもよい。例えば、ユーザ装置は、ポータブル、ポケットサイズ、ハンドヘルド、コンピュータ内蔵又は車載の移動装置でもよい。
【００５５】
基地局は、GSM又はCDMAの基地局（Base  Transceiver  Station、BTS）でもよく、WCDMAの基地局（NodeB）でもよく、更にLTEのeNB又はe-NodeBでもよく、本発明では限定されない。
【００５６】
モビリティ管理エンティティ（Mobility  Management  Entity、MME）は、インターネットプロトコル（Internet  Protocol、IP）マルチメディアサブシステム（IP  Multimedia  Subsystem、IMS）ボイス・オーバー・パケット交換（Packet-Switched、PS）セッション（IMS  Voice  Over  PS  Session）の可能なMMEである。
【００５７】
図１は、本発明の実施例によるサービス制御方法の概略フローチャートであり、図１に示す方法は、MMEにより実行される。
【００５８】
101：１つ以上のユーザ装置を決定する。
【００５９】
ステップ101が実行された後、請求されていない回線交換フォールバック（Circuit  Switched  Fallback、CSFB）の請求されてないオフロードを実行するためにステップ102が実行されてもよく、請求された回線交換フォールバック（Circuit  Switched  Fallback、CSFB）の請求されたオフロードを実行するためにステップ103が実行されてもよい。
【００６０】
102：請求されていないCSFBの請求されていないオフロードのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信する。登録承認メッセージ又はコンバインド承認メッセージは、ボイス・オーバー・インターネットプロトコル（IP）マルチメディアサブシステム（IMS）（VoIMS）が利用可能でないことを１つ以上のユーザ装置に示す。
【００６１】
103：請求されたCSFBの請求されたオフロードのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信する。登録承認メッセージ又はコンバインド登録承認メッセージは、VoIMSが利用可能でないことを１つ以上のユーザ装置に示す。
【００６２】
図１に示す方法によれば、LTEセルのQoSが保証できない場合、MMEは、VoIMSが利用可能でないことをユーザ装置に示すために、登録承認メッセージ又はコンバインド登録承認メッセージを使用することにより、CSFBオフロードを実行することができる。これにより、ユーザ装置は、音声呼の失敗を被るのではなく、通信のために回線交換（Circuit  Switched、CS）ドメインに頼ることができる。
【００６３】
図２は、本発明の実施例によるサービス制御方法の概略フローチャートであり、図２に示す方法は、移動交換局（Mobile  Switching  Center、MSC）により実行される。
【００６４】
201：MMEにより送信されたオフロード指示を受信する。オフロード指示は、１人以上のユーザ装置がCSFBオフロードされたユーザ装置であることを通知するために使用される。
【００６５】
202：オフロード指示に従って、１つ以上のCSFBオフロードされたユーザ装置がオフロードされたユーザであることを決定する。
【００６６】
203：オフロードされたユーザにより行われた音声呼が終了した場合、基地局又はRNCが高速折り返し手順を実行するために、基地局又はRNCに送信されるクリアメッセージに折り返し情報を追加する。折り返し情報は、第４世代（4th  generation、4G）公衆陸上移動ネットワーク（Public  Land  Mobile  Network、PLMN）情報及びCSFB情報を含む。
【００６７】
204：クリアメッセージを基地局又はRNCに送信する。
【００６８】
図２に示す方法によれば、MSCは、CSFBオフロードされたユーザ装置を習得し、基地局又はRNCにおいて高速折り返し手順をトリガするために、呼が終了した場合に折り返し情報をクリアメッセージに追加することができる。このように、基地局又はRNCは、ユーザ装置をLTEネットワークに高速に切り替えることができる。
【００６９】
図３Ａ及び３Ｂは、本発明の実施例によるサービス制御方法の概略フローチャートである。
【００７０】
任意選択で、実施例では、ステップ301が実行されてもよい。
【００７１】
301：輻輳制御センタは、基地局により送信されたセル輻輳情報を受信する。セル輻輳情報は、セル輻輳レベル及びセル情報を含む。
【００７２】
具体的に、基地局は、セルの負荷情報を周期的に検出してもよい。負荷情報は、無線インタフェースの物理リソースブロック（Physical  Resource  Block、PRB）利用率、VoLTE呼設定成功率、及びVoLTEベアラのIP  QoSレベルのような情報を含む。検出の結果に従って、セルのセル輻輳レベルが決定される。基地局は、セル輻輳レベル及びセル情報を保持するセル輻輳情報をMMEに送信する。セル情報は、E-UTRANセルグローバル識別子（E-UTRAN  Cell  Global  Identifier、eCGI）でもよい。
【００７３】
任意選択で、実施例では、ステップ302及びステップ303が実行されてもよい。
【００７４】
302：輻輳制御センタは、セッションボーダーコントローラ（Session  Boarder  Controller、SBC）又はパケットデータネットワークゲートウェイ（PDN  Gateway、P-GW）からLTEセルの負荷情報及びセル情報を受信する。負荷情報は、PRB利用率、VoLTE呼設定成功率、及びVoLTEベアラのIP  QoSレベルのような情報を含み、セル情報は、eCGIでもよい。
【００７５】
具体的に、SBCは、呼のサンプリングを用いて負荷情報を収集してもよい。P-GWは、アプリケーションレイヤ情報を再び組み立て、アプリケーションレイヤ情報から負荷情報を導出するために、DPIを実行してもよい。
【００７６】
303：輻輳制御センタは、LTEセルの負荷情報に従ってLTEセルのセル輻輳レベルを決定する。
【００７７】
ステップ301が実行された後、又はステップ302及びステップ303が実行された後に、ステップ304が実行されてもよい。
【００７８】
304：輻輳制御センタは、セル輻輳レベル及びセル情報をMMEに送信する。
【００７９】
任意選択で、輻輳制御センタは、輻輳セルリストの形式でセル輻輳レベル及びセル情報をMMEに送信してもよい。
【００８０】
任意選択で、実施例では、ステップ305が実行されてもよい。
【００８１】
305：MMEは、基地局により送信されたセル輻輳情報を受信する。セル輻輳情報は、セル輻輳レベル及びセル情報を含む。
【００８２】
具体的に、基地局は、セルの負荷情報を周期的に検出してもよい。負荷情報は、無線インタフェースの物理リソースブロック（Physical  Resource  Block、PRB）利用率、VoLTE呼設定成功率、及びVoLTEベアラのIP  QoSレベルのような情報を含む。検出の結果に従って、セルのセル輻輳レベルが決定される。基地局は、セル輻輳レベル及びセル情報を保持するセル輻輳情報をMMEに送信する。セル情報は、eCGIでもよい。
【００８３】
任意選択で、実施例では、ステップ304が実行された後、又はステップ305が実行された後に、ステップ306が実行されてもよい。
【００８４】
306：MMEは、セル輻輳レベルに従って、MMEがネットワーク輻輳にあることを決定する。
【００８５】
任意選択で、実施例では、ステップ307が実行されてもよい。
【００８６】
307：MMEは、輻輳統計情報を収集し、輻輳統計情報が予め設定された閾値に到達した場合、MMEがネットワーク輻輳にあることを決定する。輻輳統計情報は、LTEセルのシグナリングプレーン輻輳統計及びLTEセルのサービス品質クラス識別子（QCI）ベアラ設定成功率を含む。
【００８７】
ステップ301〜ステップ307は任意選択のステップであり、ステップ301〜ステップ307の中の１つ以上のステップは実行されてもよく、実行されなくてもよい点に留意すべきである。
【００８８】
任意選択で、ステップ301〜ステップ307の中の１つ以上のステップを実行することにより、MMEがネットワーク輻輳にある場合、CSFBオフロード手順が実行される必要があることが確かめられてもよい。或いは、CSFBオフロード手順は、他の方式でトリガされてもよく、例えば、CSFBオフロード手順は、ユーザ装置又は他のネットワーク側デバイス（基地局等）から受信した要求に従ってトリガされてもよい。
【００８９】
308：MMEは、１つ以上のユーザ装置を決定する。
【００９０】
具体的に、MMEは、ユーザ装置情報に従って１つ以上のユーザ装置を決定してもよい。ユーザ装置情報は、ネットワーク側デバイスにより送信されてもよく、ユーザ装置情報は、優先度、位置情報、キャンプしたセル、現在のサービス状態、及びネットワーク側デバイスによりサービス提供されるユーザ装置の能力のような情報を含む。
【００９１】
１つ以上のユーザ装置がMMEにより決定された場合、MMEは、請求されていないCSFBオフロード手順を実行してもよい。具体的に、MMEは、１つ以上のユーザ装置が登録要求メッセージ又はコンバインド登録要求メッセージをMMEに送信することをトリガするために、通知メッセージを１つ以上のユーザ装置に送信する。登録要求メッセージ又はコンバインド登録要求メッセージが受信された後に、MMEは、登録承認メッセージ又はコンバインド登録承認メッセージを１つ以上のユーザ装置に送信する。登録承認メッセージ又はコンバインド登録承認メッセージは、VoIMSが利用可能でないこと１つ以上のユーザ装置に示す。任意選択で、登録要求メッセージは、アタッチ（attach）メッセージでもよく、トラッキングエリアアップデート（Tracking  Area  Update、TAU）メッセージでもよい。登録承認メッセージは、アタッチ承認（attach  accept）メッセージでもよく、TAU承認（TAU  accept）メッセージでもよい。コンバインド登録要求メッセージは、コンバインドアタッチ（combined  attach）メッセージでもよく、コンバインドTAU（combined  TAU）メッセージでもよい。コンバインド登録承認メッセージは、コンバインドアタッチ承認（combined  attach  accept）メッセージでもよく、コンバインドTAU承認（combined  TAU  accept）メッセージでもよい。
【００９２】
具体的に、ステップ309〜ステップ312は、第１の種類の請求されていないCSFBオフロード手順であり、ステップ313〜ステップ316は、第２の種類の請求されていないCSFBオフロード手順であり、ステップ317〜ステップ320は、第３の種類の請求されていないCSFBオフロード手順である。
【００９３】
１つ以上のユーザ装置がMMEにより決定された場合、MMEは、請求されたCSFBオフロード手順を更に実行してもよい。具体的に、１つ以上のユーザ装置により送信された登録要求メッセージ又はコンバインド登録要求メッセージが受信された場合、MMEは、登録承認メッセージ又はコンバインド登録承認メッセージを１つ以上のユーザ装置に送信する。登録承認メッセージ又はコンバインド登録承認メッセージは、VoIMSが利用可能でないことを１つ以上のユーザ装置に示す。任意選択で、登録要求メッセージは、アタッチ（attach）メッセージでもよく、トラッキングエリアアップデート（Tracking  Area  Update、TAU）メッセージでもよい。登録承認メッセージは、アタッチ承認（attach  accept）メッセージでもよく、TAU承認（TAU  accept）メッセージでもよい。コンバインド登録要求メッセージは、コンバインドアタッチ（combined  attach）メッセージでもよく、コンバインドTAU（combined  TAU）メッセージでもよい。コンバインド登録承認メッセージは、コンバインドアタッチ承認（combined  attach  accept）メッセージでもよく、コンバインドTAU承認（combined  TAU  accept）メッセージでもよい。
【００９４】
具体的に、ステップ321〜ステップ323は、請求されたCSFBオフロード手順である。
【００９５】
実施例では、ステップ308が実行された後に、ステップ309〜ステップ312が実行されてもよい。
【００９６】
309：MMEは、通知メッセージを１つ以上のユーザ装置に送信する。通知メッセージは、１つ以上のユーザ装置がコンバインド登録要求メッセージをMMEに送信することをトリガするために、国際移動体加入者識別番号（International  Mobile  Subscriber  Identity、IMSI）デタッチ（detach）メッセージである。
【００９７】
310：IMSIデタッチメッセージが受信された後に、１つ以上のユーザ装置は、コンバインド登録要求メッセージをMMEに送信する。コンバインド登録要求メッセージは、コンバインドTAUメッセージである。
【００９８】
IMSIデタッチメッセージが受信された後に、１つ以上のユーザ装置のうちいずれかのユーザ装置は、コンバインドTAUメッセージをMMEに送信してもよいことが認識され得る。
【００９９】
311：１つ以上のユーザ装置により送信されたコンバインドTAUメッセージが受信された後に、MMEは、VoIMSが利用可能でないことを１つ以上のユーザ装置に示すために、コンバインド登録承認メッセージのIMSボイス・オーバー・PSセッション・サポート・インジケーション（IMS  Voice  over  PS  session  supported  Indication）を偽（false）に設定し、コンバインド登録承認メッセージを１つ以上のユーザ装置に送信する。コンバインド登録承認メッセージは、コンバインドTAU承認メッセージである。
【０１００】
１つ以上のユーザ装置のうちいずれかのユーザ装置により送信されたコンバインドTAUメッセージが受信された後に、MMEは、IMSボイス・オーバー・PSセッション・サポート・インジケーション（IMS  Voice  over  PS  session  supported  Indication）が偽に設定されたコンバインドTAU承認メッセージをユーザ装置に送信してもよいことが認識され得る。
【０１０１】
312：IMS  Voice  over  PS  session  supported  Indicationが偽に設定されたコンバインドTAU承認メッセージが受信された後に、ユーザ装置は、VoIMSが利用可能でないことを決定し、通信の必要性が生じた場合には常に回線交換ドメインを介して通信する。
【０１０２】
実施例では、ステップ308が実行された後に、ステップ313〜ステップ316が実行されてもよい。
【０１０３】
313：MMEは、通知メッセージを１つ以上のユーザ装置に送信する。通知メッセージは、１つ以上のユーザ装置が登録要求メッセージをMMEに送信することをトリガするために、無効TAI  listを保持するグローバル一意一時的識別番号（Globally  Unique  Temporary  Identity、GUTI）再割り当てメッセージである。
【０１０４】
314：無効TAI  listを保持するGUTI再割り当てメッセージが受信された後に、１つ以上のユーザ装置は、コンバインド登録要求メッセージをMMEに送信する。コンバインド登録要求メッセージは、TAUメッセージである。
【０１０５】
無効TAI  listを保持するGUTI再割り当てメッセージが受信された後に、１つ以上のユーザ装置のうちいずれかのユーザ装置は、TAUメッセージをMMEに送信してもよいことが認識され得る。
【０１０６】
315：１つ以上のユーザ装置により送信されたTAUメッセージが受信された後に、MMEは、VoIMSが利用可能でないことを１つ以上のユーザ装置に示すために、登録承認メッセージのIMSボイス・オーバー・PSセッション・サポート・インジケーション（IMS  Voice  over  PS  session  supported  Indication）を偽（false）に設定し、登録承認メッセージを１つ以上のユーザ装置に送信する。登録承認メッセージは、TAU承認メッセージである。
【０１０７】
１つ以上のユーザ装置のうちいずれかのユーザ装置により送信されたTAUメッセージが受信された後に、MMEは、IMSボイス・オーバー・PSセッション・サポート・インジケーション（IMS  Voice  over  PS  session  supported  Indication）が偽に設定されたTAU承認メッセージをユーザ装置に送信してもよいことが認識され得る。
【０１０８】
316：IMS  Voice  over  PS  session  supported  Indicationが偽に設定されたTAU承認メッセージが受信された後に、ユーザ装置は、VoIMSが利用可能でないことを決定し、通信の必要性が生じた場合には常に回線交換ドメインを介して通信する。
【０１０９】
実施例では、ステップ308が実行された後に、ステップ317〜ステップ316が実行されてもよい。
【０１１０】
317：MMEは、通知メッセージを１つ以上のユーザ装置に送信する。通知メッセージは、１つ以上のユーザ装置が登録要求メッセージをMMEに送信することをトリガするために、無進化型パケットシステム（Evolved  Packet  System、EPS）デタッチ（detach）メッセージである。
【０１１１】
318：EPSデタッチメッセージが受信された後に、１つ以上のユーザ装置は、コンバインド登録要求メッセージをMMEに送信する。コンバインド登録要求メッセージは、アタッチメッセージである。
【０１１２】
EPSデタッチメッセージが受信された後に、１つ以上のユーザ装置のうちいずれかのユーザ装置は、アタッチメッセージをMMEに送信してもよいことが認識され得る。
【０１１３】
319：１つ以上のユーザ装置により送信されたアタッチメッセージが受信された後に、MMEは、VoIMSが利用可能でないことを１つ以上のユーザ装置に示すために、登録承認メッセージのIMSボイス・オーバー・PSセッション・サポート・インジケーション（IMS  Voice  over  PS  session  supported  Indication）を偽（false）に設定し、登録承認メッセージを１つ以上のユーザ装置に送信する。登録承認メッセージは、アタッチ承認メッセージである。
【０１１４】
１つ以上のユーザ装置のうちいずれかのユーザ装置により送信されたアタッチメッセージが受信された後に、MMEは、IMSボイス・オーバー・PSセッション・サポート・インジケーション（IMS  Voice  over  PS  session  supported  Indication）が偽に設定されたアタッチ承認メッセージをユーザ装置に送信してもよいことが認識され得る。
【０１１５】
320：IMS  Voice  over  PS  session  supported  Indicationが偽に設定されたアタッチ承認メッセージが受信された後に、ユーザ装置は、VoIMSが利用可能でないことを決定し、通信の必要性が生じた場合には常に回線交換ドメインを介して通信する。
【０１１６】
実施例では、ステップ308が実行された後に、ステップ321、ステップ322及びステップ323が実行されてもよい。
【０１１７】
321：１つ以上のユーザ装置は、登録要求メッセージ又はコンバインド登録要求メッセージをMMEに送信する。
【０１１８】
322：１つ以上のユーザ装置により送信された登録要求メッセージ又はコンバインド登録要求メッセージが受信された後に、MMEは、VoIMSが利用可能でないことを１つ以上のユーザ装置に示すために、登録承認メッセージ又はコンバインド登録承認メッセージのIMSボイス・オーバー・PSセッション・サポート・インジケーション（IMS  Voice  over  PS  session  supported  Indication）を偽（false）に設定し、登録承認メッセージ又はコンバインド登録承認メッセージを１つ以上のユーザ装置に送信する。
【０１１９】
任意選択で、登録要求メッセージは、TAUメッセージでもよく、アタッチメッセージでもよい。コンバインド登録要求メッセージは、コンバインドTAUメッセージでもよく、コンバインドアタッチメッセージでもよい。登録承認メッセージは、TAU承認メッセージでもよく、アタッチ承認メッセージでもよい。コンバインド承認メッセージは、コンバインドTAU承認メッセージでもよく、コンバインドアタッチ承認メッセージでもよい。
【０１２０】
登録要求メッセージがMMEにより受信され、登録要求メッセージがTAUメッセージである場合、MMEは、TAU承認メッセージを送信することが認識され得る。同様に、登録要求メッセージがMMEにより受信され、登録要求メッセージがアタッチメッセージである場合、MMEは、アタッチ承認メッセージを送信する。同様に、コンバインド登録要求メッセージがMMEにより受信され、コンバインド登録要求メッセージがコンバインドTAUメッセージである場合、MMEは、コンバインドTAU承認メッセージを送信する。同様に、コンバインド登録要求メッセージがMMEにより受信され、コンバインド登録要求メッセージがコンバインドアタッチメッセージである場合、MMEは、コンバインドアタッチ承認メッセージを送信する。
【０１２１】
323：IMSボイス・オーバー・PSセッション・サポート・インジケーション（IMS  Voice  over  PS  session  supported  Indication）が偽に設定された登録メッセージ又はコンバインド登録承認メッセージが受信された後に、ユーザ装置は、VoIMSが利用可能でないことを決定し、通信の必要性が生じた場合には常に回線交換ドメインを介して通信する。
【０１２２】
１つ以上のユーザ装置がアイドル状態にあるときに、ステップ321からステップ323までの請求されていないオフロード手順が実行される点に留意すべきである。
【０１２３】
任意選択で、CSFBオフロードが実行された場合、VoLTEが１つ以上のユーザ装置により使用可能になった場合に１つ以上のユーザ装置がVoLTEに戻されることができるために、MMEは更に、１つ以上のユーザ装置に印を付けてもよい。
【０１２４】
任意選択で、CSFBオフロードが実行された場合、MMEは、オフロード指示を移動交換局（MSC）に更に送信してもよい。オフロード指示は、１つ以上のユーザ装置がCSFBオフロードされたユーザ装置であることをMSCに通知するために使用される。具体的に、コンバインドロケーションアップデート手順がSGsインタフェースで開始された場合、MMEは、オフロード指示としての拡張情報要素をSGsアソシエーテド・ロケーションアップデート（associated  location  update）メッセージに追加してもよい。MSCは、オフロード指示に従って、現在のCSFBユーザがオフロードされたユーザであることを記録し、ユーザ装置を介したユーザの通信に悪影響を与えることなくVoLTEユーザの料金ポリシーがオフロードされたユーザに適用されるために、音声呼フォールバックのフォローアップ課金データレコードに指示を追加する。好ましくは、MSCは、ユーザ装置のユーザ経験を確保するために、オフロード指示に従って、現在の音声呼において高速符号化を更に使用してもよい。MSCは、オフロード指示に従って、音声呼が終了した場合に拡張情報要素をクリアメッセージに更に追加してもよい。拡張情報要素は、CSFBオフロードされたユーザ装置をLTEネットワークに迅速且つ正確に復帰するために使用される第４世代（4  generation、4G）公衆陸上移動ネットワーク（Public  Land  Mobile  Network、PLMN）情報及びCSFB情報を含む。
【０１２５】
図３Ａ及び図３Ｂに示す方法によれば、LTEセルのQoSが保証できないシナリオでは、MMEは、VoIMSが利用可能でないことをユーザ装置に示すために、登録承認メッセージ又はコンバインド登録承認メッセージを使用することにより、CSFBオフロードを実行することができる。これにより、ユーザ装置は、音声呼の失敗を被るのではなくCSドメインを介して通信することができる。
【０１２６】
図４は、本発明の実施例によるサービス制御方法の概略フローチャートであり、図４に示す方法は、MMEにより実行される。
【０１２７】
401：１つ以上のユーザ装置を決定する。
【０１２８】
ステップ401が実行された後に、請求されていないVoIMSへの切り替えを実行するためにステップ402が実行されてもよく、請求されたVoIMSオフロードを実行するためにステップ403が実行されてもよい。
【０１２９】
402：請求されていないVoIMSへの切り替えのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された後に、登録承認メッセージ又はコンバインド登録承認メッセージを１つ以上のユーザ装置に送信する。登録承認メッセージ又はコンバインド承認メッセージは、ボイス・オーバー・インターネットプロトコル（IP）マルチメディアサブシステム（IMS）（VoIMS）が利用可能であることを１つ以上のユーザ装置に示す。
【０１３０】
403：請求されたVoIMSへの切り替えのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信する。登録承認メッセージ又はコンバインド登録承認メッセージは、VoIMSが利用可能であることを１つ以上のユーザ装置に示す。
【０１３１】
図４に示す方法によれば、LTEセルがVoIMSを提供することができる場合、ユーザ装置のユーザ経験を改善するために、MMEは、VoMISが利用可能であることをユーザ装置に示すために登録承認メッセージ又はコンバインド登録承認メッセージを使用することにより、CSドメインのユーザ装置をVoIMSに切り替えることができる。
【０１３２】
図５は、本発明の実施例によるサービス制御方法の概略フローチャートである。
【０１３３】
501：MMEは、１つ以上のユーザ装置を決定する。具体的に、MMEは、優先度、位置情報、キャンプしたセル、現在のサービス状態、及びユーザ装置の能力のような情報に従って１つ以上のユーザ装置を決定してもよい。
【０１３４】
１つ以上のユーザ装置がMMEにより決定された場合、MMEは、請求されていないVoIMSへの切り替えを実行してもよい。具体的に、MMEは、１つ以上のユーザ装置が登録要求メッセージ又はコンバインド登録要求メッセージをMMEに送信することをトリガするために、通知メッセージを１つ以上のユーザ装置に送信する。登録要求メッセージ又はコンバインド登録要求メッセージが受信された後に、MMEは、登録承認メッセージ又はコンバインド登録承認メッセージを１つ以上のユーザ装置に送信する。登録承認メッセージ又はコンバインド登録承認メッセージは、VoIMSが利用可能であること１つ以上のユーザ装置に示す。任意選択で、登録要求メッセージは、アタッチ（attach）メッセージでもよく、トラッキングエリアアップデート（Tracking  Area  Update、TAU）メッセージでもよい。登録承認メッセージは、アタッチ承認（attach  accept）メッセージでもよく、TAU承認（TAU  accept）メッセージでもよい。コンバインド登録要求メッセージは、コンバインドアタッチ（combined  attach）メッセージでもよく、コンバインドTAU（combined  TAU）メッセージでもよい。コンバインド登録承認メッセージは、コンバインドアタッチ承認（combined  attach  accept）メッセージでもよく、コンバインドTAU承認（combined  TAU  accept）メッセージでもよい。
【０１３５】
具体的に、ステップ502〜ステップ505は、第１の種類の請求されていないVoIMSへの切り替えであり、ステップ506〜ステップ509は、第２の種類の請求されていないVoIMSへの切り替えであり、ステップ510〜ステップ513は、第３の種類の請求されていないVoIMSへの切り替えである。
【０１３６】
１つ以上のユーザ装置がMMEにより決定された場合、MMEは、請求されたVoIMSへの切り替えを更に実行してもよい。具体的に、１つ以上のユーザ装置により送信された登録要求メッセージ又はコンバインド登録要求メッセージが受信された場合、MMEは、登録承認メッセージ又はコンバインド登録承認メッセージを１つ以上のユーザ装置に送信する。登録承認メッセージ又はコンバインド登録承認メッセージは、VoIMSが利用可能であることを１つ以上のユーザ装置に示す。任意選択で、登録要求メッセージは、アタッチ（attach）メッセージでもよく、トラッキングエリアアップデート（Tracking  Area  Update、TAU）メッセージでもよい。登録承認メッセージは、アタッチ承認（attach  accept）メッセージでもよく、TAU承認（TAU  accept）メッセージでもよい。コンバインド登録要求メッセージは、コンバインドアタッチ（combined  attach）メッセージでもよく、コンバインドTAU（combined  TAU）メッセージでもよい。コンバインド登録承認メッセージは、コンバインドアタッチ承認（combined  attach  accept）メッセージでもよく、コンバインドTAU承認（combined  TAU  accept）メッセージでもよい。
【０１３７】
具体的に、ステップ514〜ステップ516は、請求されたVoIMSへの切り替えである。
【０１３８】
実施例では、ステップ501が実行された後に、ステップ502〜ステップ505が実行されてもよい。
【０１３９】
502：MMEは、通知メッセージを１つ以上のユーザ装置に送信する。通知メッセージは、１つ以上のユーザ装置がコンバインド登録要求メッセージをMMEに送信することをトリガするために、IMSIデタッチメッセージである。
【０１４０】
503：IMSIデタッチメッセージが受信された後に、１つ以上のユーザ装置は、コンバインド登録要求メッセージをMMEに送信する。コンバインド登録要求メッセージは、コンバインドTAUメッセージである。
【０１４１】
IMSIデタッチメッセージが受信された後に、１つ以上のユーザ装置のうちいずれかのユーザ装置は、コンバインドTAUメッセージをMMEに送信してもよいことが認識され得る。
【０１４２】
504：１つ以上のユーザ装置により送信されたコンバインドTAUメッセージが受信された後に、MMEは、VoIMSが利用可能であることを１つ以上のユーザ装置に示すために、コンバインド登録承認メッセージのIMSボイス・オーバー・PSセッション・サポート・インジケーション（IMS  Voice  over  PS  session  supported  Indication）を真（true）に設定し、コンバインド登録承認メッセージを１つ以上のユーザ装置に送信する。コンバインド登録承認メッセージは、コンバインドTAU承認メッセージである。
【０１４３】
１つ以上のユーザ装置のうちいずれかのユーザ装置により送信されたコンバインドTAUメッセージが受信された後に、MMEは、IMS  Voice  over  PS  session  supported  Indicationが偽に設定されたコンバインドTAU承認メッセージをユーザ装置に送信してもよいことが認識され得る。
【０１４４】
505：IMS  Voice  over  PS  session  supported  Indicationが偽に設定されたコンバインドTAU承認メッセージが受信された後に、ユーザ装置は、VoIMSが利用可能であることを決定し、通信の必要性が生じた場合には常にVoIMSを介して通信する。
【０１４５】
実施例では、ステップ501が実行された後に、ステップ506〜ステップ509が実行されてもよい。
【０１４６】
506：MMEは、通知メッセージを１つ以上のユーザ装置に送信する。通知メッセージは、１つ以上のユーザ装置が登録要求メッセージをMMEに送信することをトリガするために、無効TAI  listを保持するGUTI再割り当てメッセージである。
【０１４７】
507：無効TAI  listを保持するGUTI再割り当てメッセージが受信された後に、１つ以上のユーザ装置は、登録要求メッセージをMMEに送信する。登録要求メッセージは、TAUメッセージである。
【０１４８】
無効TAI  listを保持するGUTI再割り当てメッセージが受信された後に、１つ以上のユーザ装置のうちいずれかのユーザ装置は、TAUメッセージをMMEに送信してもよいことが認識され得る。
【０１４９】
508：１つ以上のユーザ装置により送信されたTAUメッセージが受信された後に、MMEは、VoIMSが利用可能であることを１つ以上のユーザ装置に示すために、登録承認メッセージのIMSボイス・オーバー・PSセッション・サポート・インジケーション（IMS  Voice  over  PS  session  supported  Indication）を真（true）に設定し、登録承認メッセージを１つ以上のユーザ装置に送信する。登録承認メッセージは、TAU承認メッセージである。
【０１５０】
１つ以上のユーザ装置のうちいずれかのユーザ装置により送信されたTAUメッセージが受信された後に、MMEは、IMSボイス・オーバー・PSセッション・サポート・インジケーション（IMS  Voice  over  PS  session  supported  Indication）が偽に設定されたTAU承認メッセージをユーザ装置に送信してもよいことが認識され得る。
【０１５１】
509：IMS  Voice  over  PS  session  supported  Indicationが偽に設定されたTAU承認メッセージが受信された後に、ユーザ装置は、VoIMSが利用可能であることを決定し、通信の必要性が生じた場合には常にVoIMSを介して通信する。
【０１５２】
実施例では、ステップ501が実行された後に、ステップ510〜ステップ513が実行されてもよい。
【０１５３】
510：MMEは、通知メッセージを１つ以上のユーザ装置に送信する。通知メッセージは、１つ以上のユーザ装置が登録要求メッセージをMMEに送信することをトリガするために、EPSデタッチメッセージである。
【０１５４】
511：EPSデタッチメッセージが受信された後に、１つ以上のユーザ装置は、コンバインド登録要求メッセージをMMEに送信する。コンバインド登録要求メッセージは、アタッチメッセージである。
【０１５５】
EPSデタッチメッセージが受信された後に、１つ以上のユーザ装置のうちいずれかのユーザ装置は、アタッチメッセージをMMEに送信してもよいことが認識され得る。
【０１５６】
512：１つ以上のユーザ装置により送信されたアタッチメッセージが受信された後に、MMEは、VoIMSが利用可能であることを１つ以上のユーザ装置に示すために、登録承認メッセージのIMSボイス・オーバー・PSセッション・サポート・インジケーション（IMS  Voice  over  PS  session  supported  Indication）を真（true）に設定し、登録承認メッセージを１つ以上のユーザ装置に送信する。登録承認メッセージは、アタッチ承認メッセージである。
【０１５７】
１つ以上のユーザ装置のうちいずれかのユーザ装置により送信されたアタッチメッセージが受信された後に、MMEは、IMSボイス・オーバー・PSセッション・サポート・インジケーション（IMS  Voice  over  PS  session  supported  Indication）が真に設定されたアタッチ承認メッセージをユーザ装置に送信してもよいことが認識され得る。
【０１５８】
513：IMSボイス・オーバー・PSセッション・サポート・インジケーション（IMS  Voice  over  PS  session  supported  Indication）が真に設定されたアタッチ承認メッセージが受信された後に、ユーザ装置は、VoIMSが利用可能であることを決定し、通信の必要性が生じた場合には常にVoIMSを介して通信する。
【０１５９】
実施例では、ステップ501が実行された後に、ステップ514、ステップ515及びステップ516が実行されてもよい。
【０１６０】
514：MMEは、１つ以上のユーザ装置により送信された登録要求メッセージ又はコンバインド登録要求メッセージを受信する。
【０１６１】
515：１つ以上のユーザ装置により送信された登録要求メッセージ又はコンバインド登録要求メッセージが受信された後に、MMEは、VoIMSが利用可能であることを１つ以上のユーザ装置に示すために、登録承認メッセージ又はコンバインド登録承認メッセージのIMSボイス・オーバー・PSセッション・サポート・インジケーション（IMS  Voice  over  PS  session  supported  Indication）を真（true）に設定し、登録承認メッセージ又はコンバインド登録承認メッセージを１つ以上のユーザ装置に送信する。
【０１６２】
任意選択で、登録要求メッセージは、TAUメッセージでもよく、アタッチメッセージでもよい。コンバインド登録要求メッセージは、コンバインドTAUメッセージでもよく、コンバインドアタッチメッセージでもよい。登録承認メッセージは、TAU承認メッセージでもよく、アタッチ承認メッセージでもよい。コンバインド承認メッセージは、コンバインドTAU承認メッセージでもよく、コンバインドアタッチ承認メッセージでもよい。
【０１６３】
登録要求メッセージがMMEにより受信され、登録要求メッセージがTAUメッセージである場合、MMEは、TAU承認メッセージを送信することが認識され得る。同様に、登録要求メッセージがMMEにより受信され、登録要求メッセージがアタッチメッセージである場合、MMEは、アタッチ承認メッセージを送信する。同様に、コンバインド登録要求メッセージがMMEにより受信され、コンバインド登録要求メッセージがコンバインドTAUメッセージである場合、MMEは、コンバインドTAU承認メッセージを送信する。同様に、コンバインド登録要求メッセージがMMEにより受信され、コンバインド登録要求メッセージがコンバインドアタッチメッセージである場合、MMEは、コンバインドアタッチ承認メッセージを送信する。
【０１６４】
516：IMSボイス・オーバー・PSセッション・サポート・インジケーション（IMS  Voice  over  PS  session  supported  Indication）が真に設定された登録メッセージ又はコンバインド登録承認メッセージが受信された後に、ユーザ装置は、VoIMSが利用可能であることを決定し、通信の必要性が生じた場合には常にVoIMSを介して通信する。
【０１６５】
図５に示す方法によれば、LTEセルがVoIMSを提供することができる場合、ユーザ装置のユーザ経験を改善するために、MMEは、VoMISが利用可能であることをユーザ装置に示すために登録承認メッセージ又はコンバインド登録承認メッセージを使用することにより、CSドメインのユーザ装置をVoIMSに切り替えることができる。
【０１６６】
図６は、本発明の実施例によるサービス制御方法の概略フローチャートであり、この方法は、移動交換局（MSC）により実行される。この方法は以下を含む。
【０１６７】
601：モビリティ管理エンティティ（MME）により送信された復帰指示を受信する。
【０１６８】
602：復帰指示に従って１人以上のユーザ（User）を削除することを決定する。１人以上のユーザは、CSFBオフロードされたユーザである。
【０１６９】
任意選択で、復帰指示は、国際移動体加入者識別番号（IMSI）デタッチメッセージである。
【０１７０】
任意選択で、CSFBオフロードされたユーザ装置は、図１〜図３Ａ及び図３Ｂに示す方法に従ってCSFBオフロードされたユーザ装置でもよい。
【０１７１】
任意選択で、MSCは、CSFBオフロードが実行される場合、MMEにより付けられた印に従って、CSFBオフロードされたユーザを決定してもよい。
【０１７２】
図６において提供される方法を実施することにより、MSCは、MMEからの復帰情報に従って、CSFBオフロードされたユーザを適時に削除することができる。
【０１７３】
図７は、本発明の実施例によるMMEの構成ブロック図である。図７に示すMME700は、図１又は図３Ａ及び図３ＢのMMEにより実行される各ステップを実行してもよい。図７に示すように、MME700は、制御ユニット701と、受信ユニット702と、送信ユニット703とを含む。
【０１７４】
制御ユニット701は、１つ以上のユーザ装置を決定するように構成される。
【０１７５】
受信ユニット702は、１つ以上のユーザ装置により送信された登録要求メッセージ又はコンバインド登録要求メッセージを受信するように構成される。
【０１７６】
制御ユニット701は、登録承認メッセージ又はコンバインド登録承認メッセージを決定するように更に構成され、登録承認メッセージ又は複数のコンバインド登録メッセージは、VoIMSが利用可能でないことを１つ以上のユーザ装置に示すために使用される。
【０１７７】
送信ユニット703は、登録承認メッセージ又はコンバインド登録承認メッセージを１つ以上のユーザ装置に送信するように構成される。
【０１７８】
図７に示すMME700によれば、LTEセルのQoSが保証できない場合、MME700は、VoIMSが利用可能でないことをユーザ装置に示すために、登録承認メッセージ又はコンバインド登録承認メッセージを使用することにより、CSFBオフロードを実行することができる。これにより、ユーザ装置は、音声呼の失敗を被るのではなくCSドメインを介して通信することができる。
【０１７９】
任意選択で、送信ユニット703は、１つ以上のユーザ装置が登録要求メッセージ又はコンバインド登録要求メッセージをMMEに送信することをトリガするために、通知メッセージを１つ以上のユーザ装置に送信するように更に構成される。
【０１８０】
任意選択で、実施例では、送信ユニット703は、通知メッセージを１つ以上のユーザ装置に送信するように具体的に構成される。通知メッセージは、１つ以上のユーザ装置がコンバインド登録要求メッセージをMMEに送信することをトリガするために、IMSIデタッチメッセージであり、コンバインド登録要求メッセージは、コンバインドトラッキングエリアアップデート（TAU）メッセージである。受信ユニット702は、コンバインドTAUメッセージを受信するように具体的に構成される。制御ユニット701は、VoIMSが利用可能でないことを示すために、コンバインド登録承認メッセージのIMSボイス・オーバー・PSセッション・サポート・インジケーション（IMS  Voice  over  PS  session  supported  Indication）を偽に設定するように具体的に構成される。コンバインド登録承認メッセージは、コンバインドTAU承認メッセージである。送信ユニット703は、コンバインドTAU承認メッセージを１つ以上のユーザ装置に送信するように具体的に構成される。
【０１８１】
任意選択で、実施例では、送信ユニット703は、通知メッセージを１つ以上のユーザ装置に送信するように具体的に構成される。通知メッセージは、１つ以上のユーザ装置が登録要求メッセージをMMEに送信することをトリガするために、無効TAI  listを保持するGUTI再割り当てメッセージであり、登録要求メッセージは、TAUメッセージである。受信ユニット702は、１つ以上のユーザ装置により送信されたTAUメッセージを受信するように具体的に構成される。制御ユニット701は、VoIMSが利用可能でないことを示すために、登録承認メッセージのIMSボイス・オーバー・PSセッション・サポート・インジケーション（IMS  Voice  over  PS  session  supported  Indication）を偽に設定するように具体的に構成される。登録承認メッセージは、TAU承認メッセージである。送信ユニット703は、TAU承認メッセージを１つ以上のユーザ装置に送信するように具体的に構成される。
【０１８２】
任意選択で、実施例では、送信ユニット703は、通知メッセージを１つ以上のユーザ装置に送信するように具体的に構成される。通知メッセージは、１つ以上のユーザ装置が登録要求メッセージをMMEに送信することをトリガするために、EPSデタッチメッセージであり、登録要求メッセージは、アタッチメッセージである。受信ユニット702は、１つ以上のユーザ装置により送信されたアタッチメッセージを受信するように具体的に構成される。制御ユニット701は、VoIMSが利用可能でないことを示すために、登録承認メッセージのIMSボイス・オーバー・PSセッション・サポート・インジケーション（IMS  Voice  over  PS  session  supported  Indication）を偽に設定するように具体的に構成される。登録承認メッセージは、アタッチ承認メッセージである。送信ユニット703は、アタッチ承認メッセージを１つ以上のユーザ装置に送信するように具体的に構成される。
【０１８３】
任意選択で、制御ユニット701は、MMEがネットワーク輻輳にあることを決定するように更に構成される。
【０１８４】
任意選択で、実施例では、受信ユニット702は、ネットワーク側デバイスにより送信されたセル輻輳メッセージを受信するように更に構成される。セル輻輳メッセージは、セル輻輳レベル及びセル情報を含む。制御ユニット701は、セル輻輳メッセージに従ってMMEがネットワーク輻輳にあることを決定するように具体的に構成される。
【０１８５】
任意選択で、実施例では、制御ユニット701は、輻輳統計情報を収集するように更に構成される。輻輳統計情報は、LTEセルのシグナリングプレーン輻輳統計情報及びLTEセルのQCIベアラ設定成功率を含む。制御ユニット701は、輻輳統計情報に従ってMMEがネットワーク輻輳にあることを決定するように具体的に構成される。
【０１８６】
任意選択で、実施例では、受信ユニット702は、ネットワーク側デバイスにより送信されたユーザ装置情報を受信するように更に構成される。ユーザ装置情報は、ネットワーク側デバイスによりサービス提供されるユーザ装置の位置情報、状態情報及びサービス情報のうち１つ又は複数を含む。制御ユニット701は、ユーザ装置情報に従って１つ以上のユーザ装置を決定するように具体的に構成される。
【０１８７】
任意選択で、実施例では、制御ユニット701は、１つ以上のユーザ装置がCSFBオフロードが実行されたユーザ装置であることを決定するように更に構成される。送信ユニット703は、SGsインタフェースを介してコンバインドロケーションアップデート手順において、オフロード指示をMSCに送信するように更に構成される。オフロード指示は、１つ以上のユーザ装置がCSFBオフロードされたユーザ装置であることをMSCに通知するために使用される。
【０１８８】
任意選択で、制御ユニット701は、１つ以上のユーザ装置に印を付けるように更に構成される。
【０１８９】
図８は、本発明の実施例によるMSCの構成ブロック図である。図８に示すMSC800は、図２又は図３Ａ及び図３Ｂのユーザ装置により実行される各ステップを実行してもよい。図８に示すように、ユーザ装置800は、受信ユニット801と、制御ユニット802と、送信ユニット803とを含む。
【０１９０】
受信ユニット801は、モビリティ管理エンティティ（MME）により送信されたオフロード指示を受信するように構成される。
【０１９１】
制御ユニット802は、オフロード指示に従って、CSFBオフロードが実行されたユーザ装置がオフロードされたユーザ装置であることを決定するように構成される。
【０１９２】
制御ユニット802は、クリアメッセージに折り返し情報を追加するように更に構成される。折り返し情報は、4G  PLMN情報及びCSFB情報を含む。
【０１９３】
送信ユニット803は、クリアメッセージを基地局又はRNCに送信するように構成される。
【０１９４】
図８に示すMSC800によれば、MSC800は、CSFBオフロードされたユーザ装置を習得し、基地局又はRNCにおいて高速折り返し手順をトリガするために、呼が終了した場合に折り返し情報をクリアメッセージに追加することができる。このように、基地局又はRNCは、ユーザ装置をLTEネットワークに迅速に戻すことができる。
【０１９５】
任意選択で、制御ユニット802は、オフロードされたユーザ装置の音声呼フォールバックの課金データレコードに料金指示を追加するように更に構成される。料金指示は、ボイス・オーバー・ロング・ターム・エボリューション（VoLTE）ユーザ装置の料金ポリシーがオフロードされたユーザ装置に適用されることを示すために使用される。
【０１９６】
任意選択で、制御ユニット802は、オフロードされたユーザ装置が音声呼を行った場合、好ましくは高速符号化及び復号化が使用されることを決定するように更に構成される。
【０１９７】
図９は、本発明の実施例によるMMEの構成ブロック図である。図９に示すMME900は、図１又は図３のMMEにより実行される各ステップを実行してもよい。図９に示すように、MME900は、制御ユニット901と、受信ユニット902と、送信ユニット903とを含む。
【０１９８】
制御ユニット901は、１つ以上のユーザ装置を決定するように構成される。
【０１９９】
受信ユニット902は、１つ以上のユーザ装置により送信された登録要求メッセージ又はコンバインド登録要求メッセージを受信するように構成される。
【０２００】
制御ユニット901は、登録承認メッセージ又はコンバインド登録承認メッセージを決定するように更に構成される。登録承認メッセージ又は複数のコンバインド登録メッセージは、ボイス・オーバー・インターネットプロトコル（IP）マルチメディアサブシステム（IMS）（VoIMS）が利用可能であることを１つ以上のユーザ装置に示すために使用される。
【０２０１】
送信ユニット903は、登録承認メッセージ又はコンバインド登録承認メッセージを１つ以上のユーザ装置に送信するように構成される。
【０２０２】
図９に示すMME900によれば、LTEセルがVoIMSを提供することができる場合、ユーザ装置のユーザ経験を改善するために、MME900は、VoMISが利用可能であることをユーザ装置に示すために登録承認メッセージ又はコンバインド登録承認メッセージを使用することにより、CSドメインのユーザ装置をVoIMSに切り替えることができる。
【０２０３】
任意選択で、送信ユニット903は、１つ以上のユーザ装置が登録要求メッセージ又はコンバインド登録承認メッセージをMMEに送信することをトリガするために、通知メッセージを１つ以上のユーザ装置に送信するように更に構成される。
【０２０４】
任意選択で、実施例では、送信ユニット903は、通知メッセージを１つ以上のユーザ装置に送信するように具体的に構成される。通知メッセージは、１つ以上のユーザ装置がコンバインド登録要求メッセージをMMEに送信することをトリガするために、IMSIデタッチメッセージであり、コンバインド登録要求メッセージは、コンバインドTAUメッセージである。受信ユニット902は、コンバインドTAUメッセージを受信するように具体的に構成される。制御ユニット901は、VoIMSが利用可能であることを示すために、コンバインド登録承認メッセージのIMSボイス・オーバー・PSセッション・サポート・インジケーション（IMS  Voice  over  PS  session  supported  Indication）を真に設定するように具体的に構成される。コンバインド登録承認メッセージは、コンバインドTAU承認メッセージである。送信ユニット903は、コンバインドTAU承認メッセージを１つ以上のユーザ装置に送信するように具体的に構成される。
【０２０５】
任意選択で、実施例では、送信ユニット903は、通知メッセージを１つ以上のユーザ装置に送信するように具体的に構成される。通知メッセージは、１つ以上のユーザ装置が登録要求メッセージをMMEに送信することをトリガするために、無効TAI  listを保持するGUTI再割り当てメッセージであり、登録要求メッセージは、TAUメッセージである。受信ユニット902は、１つ以上のユーザ装置により送信されたTAUメッセージを受信するように具体的に構成される。制御ユニット901は、VoIMSが利用可能であることを示すために、登録承認メッセージのIMSボイス・オーバー・PSセッション・サポート・インジケーション（IMS  Voice  over  PS  session  supported  Indication）を真に設定するように具体的に構成される。登録承認メッセージは、TAU承認メッセージである。送信ユニット903は、TAU承認メッセージを１つ以上のユーザ装置に送信するように具体的に構成される。
【０２０６】
任意選択で、実施例では、送信ユニット903は、通知メッセージを１つ以上のユーザ装置に送信するように具体的に構成される。通知メッセージは、１つ以上のユーザ装置が登録要求メッセージをMMEに送信することをトリガするために、EPSデタッチメッセージであり、登録要求メッセージは、アタッチメッセージである。受信ユニット902は、１つ以上のユーザ装置により送信されたアタッチメッセージを受信するように具体的に構成される。制御ユニット901は、VoIMSが利用可能であることを示すために、登録承認メッセージのIMSボイス・オーバー・PSセッション・サポート・インジケーション（IMS  Voice  over  PS  session  supported  Indication）を真に設定するように具体的に構成される。登録承認メッセージは、アタッチ承認メッセージである。送信ユニット903は、アタッチ承認メッセージを１つ以上のユーザ装置に送信するように具体的に構成される。
【０２０７】
任意選択で、実施例では、送信ユニット903は、IMSIデタッチメッセージをMSCに送信するように更に構成される。IMSIデタッチメッセージは、１つ以上のユーザ装置を削除することをMSCに通知するために使用される。
【０２０８】
図１０は、本発明の実施例によるMSCの構成ブロック図である。図１０に示すMSC1000は、図６のMSCにより実行される各ステップを実行してもよく、MSC1000は、受信ユニット1001と、制御ユニット1002とを含む。
【０２０９】
受信ユニット1001は、モビリティ管理エンティティ（MME）により送信された復帰指示を受信するように構成される。
【０２１０】
制御ユニット1002は、復帰指示に従って１人以上のユーザを決定及び削除するように構成される。１人以上のユーザは、CSFBオフロードが実行されたユーザである。
【０２１１】
本発明の実施例で提供される方法によれば、MSCは、MMEからの復帰情報に従って、CSFBオフロードされたユーザを適時に削除することができる。
【０２１２】
当業者は、この明細書に開示された実施例に記載の例と組み合わせて、ユニット及びアルゴリズムのステップが電子ハードウェア、コンピュータソフトウェアと電子ハードウェアとの組み合わせにより実現されてもよいことを認識し得る。機能がハードウェアにより実行されるかソフトウェアにより実行されるかは、技術的対策の特定の用途及び設計上の制約条件に依存する。当業者は、それぞれの特定の用途について記載の機能を実現するために異なる方法を使用してもよく、この実現が本発明の範囲を超えるものとして考えられるべきではない。
【０２１３】
便宜的又は簡潔な説明のため、前述のシステム、装置及びユニットの詳細な動作処理について、前述の方法の実施例の対応する処理に参照が行われてもよいことが当業者により明確に認識され得る。詳細はここでは再び説明しない。
【０２１４】
この出願で提供される複数の実施例では、開示のシステム、装置及び方法は他の方式で実現されてもよいことが認識されるべきである。例えば、記載の装置の実施例は、単なる例示である。例えば、ユニットの分割は、単に論理的な機能分割であり、実際の実現では他の分割でもよい。例えば、複数のユニット又はコンポーネントは結合されてもよく、他のシステムに統合されてもよく、いくつかの機能が無視されてもよく実行されなくてもよい。更に、表示又は説明した相互結合若しくは直接結合又は通信接続は、いくつかのインタフェースを通じて実現されてもよい。装置又はユニットの間の間接結合又は通信接続は、電気的、機械的又は他の形式で実現されてもよい。
【０２１５】
別々の部分として記載したユニットは、物理的に別々でもよく別々でなくてもよい。ユニットとして表示された部分は、物理的なユニットでもよく物理的なユニットでなくてもよく、１つの位置に存在してもよく、複数のネットワークユニットに分散されてもよい。ユニットの一部又は全部は、実施例の対策の目的を達成するために、実際のニーズに従って選択されてもよい。
【０２１６】
更に、本発明の実施例における機能ユニットは、１つの処理ユニットに統合されてもよく、ユニットのそれぞれが物理的に単独で存在してもよく、２つ以上のユニットが１つのユニットに統合されてもよい。
【０２１７】
機能がソフトウェア機能ユニットの形式で実現され、独立したプロダクトとして販売又は使用される場合、機能は、コンピュータ読み取り可能記憶媒体に記憶されてもよい。このような理解に基づいて、基本的に本発明の技術的対策若しくは従来技術に寄与する部分、又は技術的対策の全部若しくは一部は、ソフトウェアプロダクトの形式で実現されてもよい。ソフトウェアプロダクトは、記憶媒体に記憶され、コンピュータデバイス（パーソナルコンピュータ、サーバ又はネットワークデバイスでもよい）に対して本発明の実施例に記載の方法のステップの一部又は全部を実行するように命令する複数の命令を含む。前述の記憶媒体は、USBフラッシュドライブ、取り外し可能ハードディスク、読み取り専用メモリ（ROM、Read-Only  Memory）、ランダムアクセスメモリ（RAM、Random  Access  Memory）、磁気ディスク又は光ディスクのようなプログラムコードを記憶し得るいずれかの媒体を含む。
【０２１８】
前述の説明は本発明の単に具体的な実施例に過ぎず、本発明の保護範囲を限定することを意図するものではない。本発明に開示された技術的範囲内で当業者により容易に認識される如何なる変更又は置換も、本発明の保護範囲内に入るものとする。従って、本発明の保護範囲は、特許請求の範囲の保護範囲に従うものとする。
【図１】
2016513418.tif 000003
【図２】
2016513418.tif 000004
【図３Ａ】
2016513418.tif 000005
【図３Ｂ】
2016513418.tif 000006
【図４】
2016513418.tif 000007
【図５】
2016513418.tif 000008
【図６】
2016513418.tif 000009
【図７】
2016513418.tif 000010
【図８】
2016513418.tif 000011
【図９】
2016513418.tif 000012
【図１０】
2016513418.tif 000013
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
モビリティ管理エンティティ（MME）により実行されるサービス制御方法であり、前記MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである方法であって、
請求されていない回線交換フォールバック（CSFB）オフロードのシナリオでは、１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、ボイス・オーバー・インターネットプロトコル（IP）マルチメディアサブシステム（IMS）（VoIMS）が利用可能でないことを前記１つ以上のユーザ装置に示すステップ、又は
請求されたCSFBオフロードのシナリオでは、前記１つ以上のユーザ装置により送信された登録要求メッセージ又はコンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、VoIMSが利用可能でないことを前記１つ以上のユーザ装置に示すステップと
を有する方法。
【請求項２】
前記１つ以上のユーザ装置を決定する前に、前記方法は、
前記MMEがネットワーク輻輳にあることを決定するステップを更に有する、請求項１に記載の方法。
【請求項３】
前記MMEがネットワーク輻輳にあることを決定するステップは、
ネットワーク側デバイスにより送信されたセル輻輳情報に従って前記MMEがネットワーク輻輳にあることを決定するステップであり、前記セル輻輳情報は、セル輻輳レベル及びセル情報を有するステップ、又は
輻輳統計情報が予め設定された閾値に到達した場合、前記MMEがネットワーク輻輳にあることを決定するステップであり、前記輻輳統計情報は、ロング・ターム・エボリューション（LTE）セルに基づくシグナリングプレーン輻輳統計情報及びサービス品質クラス識別子（QCI）ベアラ設定成功率を有するステップ
を有する、請求項２に記載の方法。
【請求項４】
１つ以上のユーザ装置を決定するステップは、
ネットワーク側デバイスにより送信されたユーザ装置情報に従って前記１つ以上のユーザ装置を決定するステップであり、前記ユーザ装置情報は、前記ネットワーク側デバイスによりサービス提供されるユーザ装置の位置情報、前記ネットワーク側デバイスによりサービス提供される前記ユーザ装置の状態情報及び前記ネットワーク側デバイスによりサービス提供される前記ユーザ装置のサービス情報のうち１つ又は複数を有するステップを有する、請求項１に記載の方法。
【請求項５】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、前記コンバインドTAUメッセージであるステップと、
コンバインドトラッキングエリアアップデート（TAU）メッセージが受信された場合、VoIMSが利用可能でないことを示すために、前記コンバインド登録承認メッセージのIMSボイス・オーバー・PSセッション・サポート・インジケーション（IMS  Voice  over  PS  session  supported  Indication）を偽に設定し、前記コンバインド登録承認メッセージを前記１つ以上のユーザ装置に送信するステップであり、前記コンバインド登録承認メッセージは、前記コンバインドTAU承認メッセージであるステップと
を有する、請求項１に記載の方法。
【請求項６】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、前記TAUメッセージであるステップと、
前記TAUメッセージが受信された場合、VoIMSが利用可能でないことを示すために、前記登録承認メッセージのIMSボイス・オーバー・PSセッション・サポート・インジケーション（IMS  Voice  over  PS  session  supported  Indication）を偽に設定し、前記登録承認メッセージを前記１つ以上のユーザ装置に送信するステップであり、前記登録承認メッセージは、TAU承認メッセージであるステップと
を有する、請求項１に記載の方法。
【請求項７】
前記１つ以上のユーザ装置が登録要求メッセージ又はコンバインド登録要求メッセージをMMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであるステップと、
前記アタッチメッセージが受信された場合、VoIMSが利用可能でないことを示すために、前記登録承認メッセージのIMSボイス・オーバー・PSセッション・サポート・インジケーション（IMS  Voice  over  PS  session  supported  Indication）を偽に設定し、前記登録承認メッセージを前記１つ以上のユーザ装置に送信するステップであり、前記登録承認メッセージは、アタッチ登録承認メッセージであるステップと
を有する、請求項１に記載の方法。
【請求項８】
オフロード指示が前記１つ以上のユーザ装置に送信された場合、前記方法は、
前記１つ以上のユーザ装置がCSFBオフロードされたユーザ装置であることを決定するステップと、
SGsインタフェースを介してコンバインドロケーションアップデート手順において、オフロード指示を移動交換局（MSC）に送信するステップであり、前記MSCが前記１つ以上のユーザ装置を管理及び制御するために、前記オフロード指示は、前記１つ以上のユーザ装置がCSFBオフロードされたユーザ装置であることを前記MSCに通知するために使用されるステップと
を更に有する、請求項１に記載の方法。
【請求項９】
前記１つ以上のユーザ装置を決定する間に、前記１つ以上のユーザ装置がボイス・オーバー・ロング・ターム・エボリューション（VoLTE）ユーザ装置に戻されるために、前記１つ以上のユーザ装置に印を付けるステップを更に有する、請求項１に記載の方法。
【請求項１０】
移動交換局（MSC）により実行されるサービス制御方法であって、
モビリティ管理エンティティ（MME）により送信されたオフロード指示を受信するステップであり、前記オフロード指示は、１人以上のユーザがCSFBオフロードが実行されたユーザであることを通知するために使用されるステップと、
前記オフロード指示に従って、CSFBオフロードされた前記ユーザがオフロードされたユーザであることを決定するステップと、
前記オフロードされたユーザにより行われた音声呼が終了した場合、基地局又は無線ネットワークコントローラが高速折り返し手順を実行するために、基地局又は無線ネットワークコントローラに送信されるクリアメッセージに折り返し情報を追加するステップであり、前記折り返し情報は、第４世代（4G）公衆陸上移動ネットワーク（PLMN）情報及びCSFB情報を有するステップと
を有する方法。
【請求項１１】
前記オフロードされたユーザの音声呼フォールバックの課金データレコードに料金指示を追加するステップであり、前記料金指示は、前記オフロードされたユーザがボイス・オーバー・ロング・ターム・エボリューション（VoLTE）ユーザと同じ料金ポリシーを使用することを示すために使用されるステップを更に有する、請求項１０に記載の方法。
【請求項１２】
前記オフロードされたユーザが音声呼を行った場合、高速符号化及び復号化が使用されることを決定するステップを更に有する、請求項１０に記載の方法。
【請求項１３】
モビリティ管理エンティティ（MME）により実行されるサービス制御方法であり、前記MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである方法であって、
１つ以上のユーザ装置を決定するステップであり、前記１つ以上のユーザ装置は、ボイス・オーバー・ロング・ターム・エボリューション（VoLTE）をサポートするユーザ装置であるステップと、
ボイス・オーバー・IMS（VoIMS）への請求されていない切り替えのシナリオでは、前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、ボイス・オーバー・インターネットプロトコル（IP）マルチメディアサブシステム（IMS）（VoIMS）が利用可能であることを前記１つ以上のユーザ装置に示すステップ、又は
ボイス・オーバー・IMS（VoIMS）への請求された切り替えのシナリオでは、前記１つ以上のユーザ装置により送信された登録要求メッセージ又はコンバインド登録要求メッセージが受信された場合、登録承認メッセージ又はコンバインド登録承認メッセージを前記１つ以上のユーザ装置に送信するステップであり、前記登録承認メッセージ又は前記コンバインド登録承認メッセージは、VoIMSが利用可能であることを前記１つ以上のユーザ装置に示すステップと
を有する方法。
【請求項１４】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドTAUメッセージであるステップと、
前記コンバインドTAUメッセージが受信された場合、VoIMSが利用可能であることを示すために、前記コンバインド登録承認メッセージのIMSボイス・オーバー・PSセッション・サポート・インジケーション（IMS  Voice  over  PS  session  supported  Indication）を真に設定し、前記コンバインド登録承認メッセージを前記１つ以上のユーザ装置に送信するステップであり、前記コンバインド登録承認メッセージは、前記コンバインドTAU承認メッセージであるステップと
を有する、請求項１３に記載の方法。
【請求項１５】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、前記TAUメッセージであるステップと、
前記TAUメッセージが受信された場合、VoIMSが利用可能であることを示すために、前記登録承認メッセージのIMSボイス・オーバー・PSセッション・サポート・インジケーション（IMS  Voice  over  PS  session  supported  Indication）を真に設定し、前記登録承認メッセージを前記１つ以上のユーザ装置に送信するステップであり、前記登録承認メッセージは、前記TAU承認メッセージであるステップと
を有する、請求項１３に記載の方法。
【請求項１６】
前記１つ以上のユーザ装置が登録要求メッセージ又はコンバインド登録要求メッセージを前記MMEに送信することをトリガするために、通知メッセージを前記１つ以上のユーザ装置に送信し、前記登録要求メッセージ又は前記コンバインド登録要求メッセージが受信された場合、登録承認メッセージ又はコンバインド登録承認メッセージを前記１つ以上のユーザ装置に送信するステップは、
前記通知メッセージを前記１つ以上のユーザ装置に送信するステップであり、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであるステップと、
前記アタッチメッセージが受信された場合、VoIMSが利用可能であることを示すために、前記登録承認メッセージのIMSボイス・オーバー・PSセッション・サポート・インジケーション（IMS  Voice  over  PS  session  supported  Indication）を真に設定し、前記登録承認メッセージを前記１つ以上のユーザ装置に送信するステップであり、前記登録承認メッセージは、アタッチ登録承認メッセージであるステップと
を有する、請求項１３に記載の方法。
【請求項１７】
前記１つ以上のユーザ装置を決定した後に、前記１つ以上のユーザ装置を削除することを前記MSCに通知するために、復帰指示を移動交換局（MSC）に送信するステップであり、前記復帰指示は、国際移動体加入者識別番号（IMSI）デタッチメッセージであるステップを更に有する、請求項１３に記載の方法。
【請求項１８】
移動交換局（MSC）により実行されるサービス制御方法であって、
モビリティ管理エンティティ（MME）により送信された復帰指示を受信するステップと、
前記復帰指示に従って１人以上のユーザを削除することを決定するステップであり、前記１人以上のユーザは、回線交換フォールバック（CSFB）オフロードが実行されたユーザであるステップと
を有する方法。
【請求項１９】
前記復帰指示は、国際移動体加入者識別番号（IMSI）デタッチメッセージである、請求項１８に記載の方法。
【請求項２０】
インターネットプロトコル（IP）マルチメディアサブシステム（IMS）ボイス・オーバー・パケット交換（PS）セッション（IMS  Voice  Over  PS  session）をサポートする移動ネットワークのMMEであるモビリティ管理エンティティ（MME）であって、
１つ以上のユーザ装置を決定するように構成された制御ユニットと、
前記１つ以上のユーザ装置により送信された登録要求メッセージ又はコンバインド登録要求メッセージを受信するように構成された受信ユニットと
を有し、
前記制御ユニットは、登録承認メッセージ又はコンバインド登録承認メッセージを決定するように更に構成され、前記登録承認メッセージ又は前記コンバインド登録承認メッセージは、ボイス・オーバー・インターネットプロトコル（IP）マルチメディアサブシステム（IMS）（VoIMS）が利用可能でないことを前記１つ以上のユーザ装置に示すために使用され、
前記MMEは、前記登録承認メッセージ又は前記コンバインド登録承認メッセージを前記１つ以上のユーザ装置に送信するように構成された送信ユニットを有するMME。
【請求項２１】
前記送信ユニットは、前記１つ以上のユーザ装置が前記登録要求メッセージ又は前記コンバインド登録要求メッセージを前記MMEに送信することをトリガするために、通知メッセージを前記１つ以上のユーザ装置に送信するように更に構成される、請求項２０に記載のMME。
【請求項２２】
前記制御ユニットは、前記MMEがネットワーク輻輳にあることを決定するように更に構成される、請求項２０に記載のMME。
【請求項２３】
前記受信ユニットは、ネットワーク側デバイスにより送信されたセル輻輳情報を受信するように更に構成され、前記セル輻輳情報は、セル輻輳レベル及びセル情報を有し、
前記制御ユニットは、前記セル輻輳情報に従って前記MMEがネットワーク輻輳にあることを決定するように構成される、請求項２１に記載のMME。
【請求項２４】
前記制御ユニットは、輻輳統計情報を収集するように更に構成され、前記輻輳統計情報は、ロング・ターム・エボリューション（LTE）セルに基づくシグナリングプレーン輻輳統計情報及びサービス品質クラス識別子（QCI）ベアラ設定成功率を有し、
前記制御ユニットは、前記輻輳統計情報に従って前記MMEがネットワーク輻輳にあることを決定するように構成される、請求項２２に記載のMME。
【請求項２５】
前記受信ユニットは、ネットワーク側デバイスにより送信されたユーザ装置情報を受信するように更に構成され、前記ユーザ装置情報は、前記ネットワーク側デバイスによりサービス提供されるユーザ装置の位置情報、前記ネットワーク側デバイスによりサービス提供される前記ユーザ装置の状態情報及び前記ネットワーク側デバイスによりサービス提供される前記ユーザ装置のサービス情報のうち１つ又は複数を有し、
前記制御ユニットは、前記ユーザ装置情報に従って前記１つ以上のユーザ装置を決定するように構成される、請求項２０に記載のMME。
【請求項２６】
前記送信ユニットは、前記通知メッセージを前記１つ以上のユーザ装置に送信するように構成され、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドトラッキングエリアアップデート（TAU）メッセージであり、
前記受信ユニットは、前記コンバインドTAUメッセージを受信するように構成され、
前記制御ユニットは、VoIMSが利用可能でないことを示すために、前記コンバインド登録承認メッセージのIMSボイス・オーバー・PSセッション・サポート・インジケーション（IMS  Voice  over  PS  session  supported  Indication）を偽に設定するように構成され、前記コンバインド登録承認メッセージは、コンバインドTAU承認メッセージであり、
前記送信ユニットは、前記コンバインドTAU承認メッセージを前記１つ以上のユーザ装置に送信するように構成される、請求項２１に記載のMME。
【請求項２７】
前記送信ユニットは、前記通知メッセージを前記１つ以上のユーザ装置に送信するように構成され、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、TAUメッセージであり、
前記受信ユニットは、前記１つ以上のユーザ装置により送信された前記TAUメッセージを受信するように構成され、
前記制御ユニットは、VoIMSが利用可能でないことを示すために、前記登録承認メッセージのIMSボイス・オーバー・PSセッション・サポート・インジケーション（IMS  Voice  over  PS  session  supported  Indication）を偽に設定するように構成され、前記登録承認メッセージは、TAU承認メッセージであり、
前記送信ユニットは、前記TAU承認メッセージを前記１つ以上のユーザ装置に送信するように構成される、請求項２１に記載のMME。
【請求項２８】
前記送信ユニットは、前記通知メッセージを前記１つ以上のユーザ装置に送信するように構成され、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであり、
前記受信ユニットは、前記１つ以上のユーザ装置により送信された前記アタッチメッセージを受信するように構成され、
前記制御ユニットは、VoIMSが利用可能でないことを示すために、前記登録承認メッセージのIMSボイス・オーバー・PSセッション・サポート・インジケーション（IMS  Voice  over  PS  session  supported  Indication）を偽に設定するように構成され、前記登録承認メッセージは、アタッチ承認メッセージであり、
前記送信ユニットは、前記アタッチ承認メッセージを前記１つ以上のユーザ装置に送信するように構成される、請求項２１に記載のMME。
【請求項２９】
前記制御ユニットは、前記１つ以上のユーザ装置が回線交換フォールバック（CSFB）オフロードが実行されたユーザ装置であることを決定するように更に構成され、
前記送信ユニットは、SGsインタフェースを介してコンバインドロケーションアップデート手順において、オフロード指示を移動交換局（MSC）に送信するように更に構成され、前記オフロード指示は、前記１つ以上のユーザ装置がCSFBオフロードされたユーザ装置であることを前記MSCに通知するために使用される、請求項２０に記載のMME。
【請求項３０】
前記制御ユニットは、前記１つ以上のユーザ装置に印を付けるように更に構成される、請求項２０に記載のMME。
【請求項３１】
移動交換局（MSC）であって、
モビリティ管理エンティティ（MME）により送信されたオフロード指示を受信するように構成された受信ユニットと、
前記オフロード指示に従って、回線交換フォールバック（CSFB）オフロードが実行されたユーザがオフロードされたユーザであることを決定するように構成された制御ユニットと
を有し、
前記制御ユニットは、クリアメッセージに折り返し情報を追加するように更に構成され、前記折り返し情報は、第４世代（4G）公衆陸上移動ネットワーク（PLMN）情報及びCSFB情報を有し、
前記MSCは、前記クリアメッセージを基地局又は無線ネットワークコントローラに送信するように構成された送信ユニットを有するMSC。
【請求項３２】
前記制御ユニットは、前記オフロードされたユーザの音声呼フォールバックの課金データレコードに料金指示を追加するように更に構成され、前記料金指示は、前記オフロードされたユーザがボイス・オーバー・ロング・ターム・エボリューション（VoLTE）ユーザと同じ料金ポリシーを使用することを示すために使用される、請求項３１に記載のMSC。
【請求項３３】
前記制御ユニットは、前記オフロードされたユーザが音声呼を行った場合、高速符号化及び復号化が使用されることを決定するように更に構成される、請求項３１に記載のMSC。
【請求項３４】
インターネットプロトコル（IP）マルチメディアサブシステム（IMS）ボイス・オーバー・パケット交換（PS）セッション（IMS  Voice  Over  PS  session）をサポートする移動ネットワークのMMEであるモビリティ管理エンティティ（MME）であって、
１つ以上のユーザ装置を決定するように構成された制御ユニットであり、前記１つ以上のユーザ装置は、ボイス・オーバー・LTE（VoLTE）をサポートするユーザ装置である制御ユニットと、
前記１つ以上のユーザ装置により送信された登録要求メッセージ又はコンバインド登録要求メッセージを受信するように構成された受信ユニットと
を有し、
前記制御ユニットは、登録承認メッセージ又はコンバインド登録承認メッセージを決定するように更に構成され、前記登録承認メッセージ又は前記コンバインド登録承認メッセージは、ボイス・オーバー・インターネットプロトコル（IP）マルチメディアサブシステム（IMS）（VoIMS）が利用可能であることを前記１つ以上のユーザ装置に示すために使用され、
前記MMEは、前記登録承認メッセージ又は前記コンバインド登録承認メッセージを前記１つ以上のユーザ装置に送信するように構成された送信ユニットを有するMME。
【請求項３５】
前記送信ユニットは、前記１つ以上のユーザ装置が前記登録要求メッセージ又は前記コンバインド登録承認メッセージを前記MMEに送信することをトリガするために、通知メッセージを前記１つ以上のユーザ装置に送信するように更に構成される、請求項３４に記載のMME。
【請求項３６】
前記送信ユニットは、前記通知メッセージを前記１つ以上のユーザ装置に送信するように構成され、前記通知メッセージは、前記１つ以上のユーザ装置が前記コンバインド登録要求メッセージを前記MMEに送信することをトリガするために、国際移動体加入者識別番号（IMSI）デタッチメッセージであり、前記コンバインド登録要求メッセージは、コンバインドトラッキングエリアアップデート（TAU）メッセージであり、
前記受信ユニットは、前記コンバインドTAUメッセージを受信するように構成され、
前記制御ユニットは、VoIMSが利用可能であることを示すために、前記コンバインド登録承認メッセージのIMSボイス・オーバー・PSセッション・サポート・インジケーション（IMS  Voice  over  PS  session  supported  Indication）を真に設定するように構成され、前記コンバインド登録承認メッセージは、コンバインドTAU承認メッセージであり、
前記送信ユニットは、前記コンバインドTAU承認メッセージを前記１つ以上のユーザ装置に送信するように構成される、請求項３５に記載のMME。
【請求項３７】
前記送信ユニットは、前記通知メッセージを前記１つ以上のユーザ装置に送信するように構成され、前記通知メッセージは、前記１つ以上のユーザ装置が前記登録要求メッセージを前記MMEに送信することをトリガするために、無効TAI  listを保持するグローバル一意一時的識別番号（GUTI）再割り当てメッセージであり、前記登録要求メッセージは、TAUメッセージであり、
前記受信ユニットは、前記１つ以上のユーザ装置により送信された前記TAUメッセージを受信するように構成され、
前記制御ユニットは、VoIMSが利用可能であることを示すために、前記登録承認メッセージのIMSボイス・オーバー・PSセッション・サポート・インジケーション（IMS  Voice  over  PS  session  supported  Indication）を真に設定するように構成され、前記登録承認メッセージは、TAU承認メッセージであり、
前記送信ユニットは、前記TAU承認メッセージを前記１つ以上のユーザ装置に送信するように構成される、請求項３５に記載のMME。
【請求項３８】
前記送信ユニットは、前記通知メッセージを前記１つ以上のユーザ装置に送信するように構成され、前記通知メッセージは、前記１つ以上のユーザ装置が前記登録要求メッセージを前記MMEに送信することをトリガするために、進化型パケットシステム（EPS）デタッチメッセージであり、前記登録要求メッセージは、アタッチメッセージであり、
前記受信ユニットは、前記１つ以上のユーザ装置により送信された前記アタッチメッセージを受信するように構成され、
前記制御ユニットは、VoIMSが利用可能であることを示すために、前記登録承認メッセージのIMSボイス・オーバー・PSセッション・サポート・インジケーション（IMS  Voice  over  PS  session  supported  Indication）を真に設定するように構成され、前記登録承認メッセージは、アタッチ承認メッセージであり、
前記送信ユニットは、前記アタッチ承認メッセージを前記１つ以上のユーザ装置に送信するように構成される、請求項３５に記載のMME。
【請求項３９】
前記送信ユニットは、国際移動体加入者識別番号（IMSI）デタッチメッセージを移動交換局（MSC）に送信するように更に構成される、請求項３４に記載のMME。
【請求項４０】
モビリティ管理エンティティ（MME）により送信された復帰指示を受信するように構成された受信ユニットと、
前記復帰指示に従って１人以上のユーザを決定及び削除するように構成された制御ユニットであり、前記１人以上のユーザは、回線交換フォールバック（CSFB）オフロードが実行されたユーザである制御ユニットと
を有する移動交換局（MSC）。
【手続補正２】
【補正対象書類名】明細書
【補正対象項目名】０００５
【補正方法】変更
【補正の内容】
【０００５】
第１の態様によれば、本発明の実施例は、サービス制御方法を提供し、この方法は、モビリティ管理エンティティ（MME）により実行され、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。この方法は、１つ以上のユーザ装置を決定するステップと、請求されていない回線交換フォールバック（CSFB）オフロードのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、ボイス・オーバー・インターネットプロトコル（IP）マルチメディアサブシステム（IMS）（VoIMS）が利用可能でないことを１つ以上のユーザ装置に示すステップ、又は請求された回線交換フォールバック（CSFB）オフロードのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、VoIMSが利用可能でないことを１つ以上のユーザ装置に示すステップとを含む。
【手続補正３】
【補正対象書類名】明細書
【補正対象項目名】００１１
【補正方法】変更
【補正の内容】
【００１１】
第２の可能な実現を参照して、第６の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであるステップと、TAUメッセージが受信された場合、VoIMSが利用可能でないことを示すために、登録承認メッセージのIMSボイス・オーバー・PSセッション・サポート・インジケーション（IMS  Voice  over  PS  session  supported  Indication）を偽に設定し、登録承認メッセージを１つ以上のユーザ装置に送信するステップであり、登録承認メッセージは、TAU承認メッセージであるステップとを含む。
【手続補正４】
【補正対象書類名】明細書
【補正対象項目名】００１５
【補正方法】変更
【補正の内容】
【００１５】
第２の態様によれば、本発明の実施例は、モビリティ管理エンティティ（MME）を提供し、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。MMEは、１つ以上のユーザ装置を決定するように構成された制御ユニットと、１つ以上のユーザ装置により送信された登録要求メッセージ又はコンバインド登録要求メッセージを受信するように構成された受信ユニットとを含み、制御ユニットは、登録承認メッセージ又はコンバインド登録承認メッセージを決定するように更に構成され、登録承認メッセージ又はコンバインド登録承認メッセージは、ボイス・オーバー・インターネットプロトコル（IP）マルチメディアサブシステム（IMS）（VoIMS）が利用可能でないことを１つ以上のユーザ装置に示すために使用され、MMEは、登録承認メッセージ又はコンバインド登録承認メッセージを１つ以上のユーザ装置に送信するように構成された送信ユニットを含む。
【手続補正５】
【補正対象書類名】明細書
【補正対象項目名】００１８
【補正方法】変更
【補正の内容】
【００１８】
第３の可能な実現を参照して、第４の可能な実現では、受信ユニットは、ネットワーク側デバイスにより送信されたセル輻輳情報を受信するように更に構成され、セル輻輳情報は、セル輻輳レベル及びセル情報を含み、制御ユニットは、セル輻輳情報に従ってMMEがネットワーク輻輳にあることを決定するように具体的に構成される。
【手続補正６】
【補正対象書類名】明細書
【補正対象項目名】００３４
【補正方法】変更
【補正の内容】
【００３４】
第５の態様によれば、本発明の実施例は、サービス制御方法を提供し、この方法は、モビリティ管理エンティティ（MME）により実行され、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。この方法は、１つ以上のユーザ装置を決定するステップであり、ユーザ装置は、VoLTEをサポートするユーザ装置であるステップと、ボイス・オーバー・IMS（VoIMS）への請求されていない切り替えのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、ボイス・オーバー・インターネットプロトコル（IP）マルチメディアサブシステム（IMS）（VoIMS）が利用可能であることを１つ以上のユーザ装置に示すステップ、又はボイス・オーバー・IMS（VoIMS）への請求された切り替えのシナリオでは、１つ以上のユーザ装置により送信された登録要求メッセージ又はコンバインド登録要求メッセージが受信された場合、登録承認メッセージ又はコンバインド登録承認メッセージを１つ以上のユーザ装置に送信するステップであり、登録承認メッセージ又はコンバインド登録承認メッセージは、VoIMSが利用可能であることを１つ以上のユーザ装置に示すステップとを含む。
【手続補正７】
【補正対象書類名】明細書
【補正対象項目名】００３７
【補正方法】変更
【補正の内容】
【００３７】
第２の可能な実現を参照して、第３の可能な実現では、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信するステップは、通知メッセージを１つ以上のユーザ装置に送信するステップであり、通知メッセージは、１つ以上のユーザ装置が登録要求メッセージをMMEに送信することをトリガするために、無効TAI  listを保持するグローバル一意一時的識別番号（GUTI）再割り当てメッセージであり、登録要求メッセージは、TAUメッセージであるステップと、TAUメッセージが受信された場合、VoIMSが利用可能であることを示すために、登録承認メッセージのIMSボイス・オーバー・PSセッション・サポート・インジケーション（IMS  Voice  over  PS  session  supported  Indication）を真に設定し、登録承認メッセージを１つ以上のユーザ装置に送信するステップであり、登録承認メッセージは、TAU承認メッセージであるステップとを含む。
【手続補正８】
【補正対象書類名】明細書
【補正対象項目名】００４０
【補正方法】変更
【補正の内容】
【００４０】
第６の態様によれば、本発明の実施例は、モビリティ管理エンティティ（MME）を提供し、MMEは、インターネットプロトコル（IP）マルチメディアサブシステム（IMS）ボイス・オーバー・パケット交換（PS）セッション（IMS  Voice  Over  PS  session）をサポートする移動ネットワークのMMEである。MMEは、１つ以上のユーザ装置を決定するように構成された制御ユニットであり、１つ以上のユーザ装置は、ボイス・オーバー・LTE（VoLTE）をサポートするユーザ装置である制御ユニットと、１つ以上のユーザ装置により送信された登録要求メッセージ又はコンバインド登録要求メッセージを受信するように構成された受信ユニットとを含み、制御ユニットは、登録承認メッセージ又はコンバインド登録承認メッセージを決定するように更に構成され、登録承認メッセージ又はコンバインド登録承認メッセージは、ボイス・オーバー・インターネットプロトコル（IP）マルチメディアサブシステム（IMS）（VoIMS）が利用可能であることを１つ以上のユーザ装置に示すために使用され、MMEは、登録承認メッセージ又はコンバインド登録承認メッセージを１つ以上のユーザ装置に送信するように構成された送信ユニットを含む。
【手続補正９】
【補正対象書類名】明細書
【補正対象項目名】００５２
【補正方法】変更
【補正の内容】
【００５２】
以下に、本発明の実施例の添付図面を参照して、本発明の実施例の技術的対策を説明する。明らかに、説明する実施例は、本発明の実施例の全てではなく、一部に過ぎない。創造的取り組みを行うことなく本発明の実施例に基づいて当業者により得られる全ての他の実施例は、本発明の保護範囲内に入るものとする。
【手続補正１０】
【補正対象書類名】明細書
【補正対象項目名】００６０
【補正方法】変更
【補正の内容】
【００６０】
102：請求されていないCSFBの請求されていないオフロードのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された場合、登録承認メッセージ又はコンバインド登録承認メッセージを１つ以上のユーザ装置に送信する。登録承認メッセージ又はコンバインド登録メッセージは、ボイス・オーバー・インターネットプロトコル（IP）マルチメディアサブシステム（IMS）（VoIMS）が利用可能でないことを１つ以上のユーザ装置に示す。
【手続補正１１】
【補正対象書類名】明細書
【補正対象項目名】０１１９
【補正方法】変更
【補正の内容】
【０１１９】
任意選択で、登録要求メッセージは、TAUメッセージでもよく、アタッチメッセージでもよい。コンバインド登録要求メッセージは、コンバインドTAUメッセージでもよく、コンバインドアタッチメッセージでもよい。登録承認メッセージは、TAU承認メッセージでもよく、アタッチ承認メッセージでもよい。コンバインド登録メッセージは、コンバインドTAU承認メッセージでもよく、コンバインドアタッチ承認メッセージでもよい。
【手続補正１２】
【補正対象書類名】明細書
【補正対象項目名】０１２９
【補正方法】変更
【補正の内容】
【０１２９】
402：請求されていないVoIMSへの切り替えのシナリオでは、１つ以上のユーザ装置が登録要求メッセージ又はコンバインド登録要求メッセージをMMEに送信することをトリガするために、通知メッセージを１つ以上のユーザ装置に送信し、登録要求メッセージ又はコンバインド登録要求メッセージが受信された後に、登録承認メッセージ又はコンバインド登録承認メッセージを１つ以上のユーザ装置に送信する。登録承認メッセージ又はコンバインド登録メッセージは、ボイス・オーバー・インターネットプロトコル（IP）マルチメディアサブシステム（IMS）（VoIMS）が利用可能であることを１つ以上のユーザ装置に示す。
【手続補正１３】
【補正対象書類名】明細書
【補正対象項目名】０１４３
【補正方法】変更
【補正の内容】
【０１４３】
１つ以上のユーザ装置のうちいずれかのユーザ装置により送信されたコンバインドTAUメッセージが受信された後に、MMEは、IMS  Voice  over  PS  session  supported  Indicationが真に設定されたコンバインドTAU承認メッセージをユーザ装置に送信してもよいことが認識され得る。
【手続補正１４】
【補正対象書類名】明細書
【補正対象項目名】０１４４
【補正方法】変更
【補正の内容】
【０１４４】
505：IMS  Voice  over  PS  session  supported  Indicationが真に設定されたコンバインドTAU承認メッセージが受信された後に、ユーザ装置は、VoIMSが利用可能であることを決定し、通信の必要性が生じた場合には常にVoIMSを介して通信する。
【手続補正１５】
【補正対象書類名】明細書
【補正対象項目名】０１５０
【補正方法】変更
【補正の内容】
【０１５０】
１つ以上のユーザ装置のうちいずれかのユーザ装置により送信されたTAUメッセージが受信された後に、MMEは、IMSボイス・オーバー・PSセッション・サポート・インジケーション（IMS  Voice  over  PS  session  supported  Indication）が真に設定されたTAU承認メッセージをユーザ装置に送信してもよいことが認識され得る。
【手続補正１６】
【補正対象書類名】明細書
【補正対象項目名】０１５１
【補正方法】変更
【補正の内容】
【０１５１】
509：IMS  Voice  over  PS  session  supported  Indicationが真に設定されたTAU承認メッセージが受信された後に、ユーザ装置は、VoIMSが利用可能であることを決定し、通信の必要性が生じた場合には常にVoIMSを介して通信する。
【手続補正１７】
【補正対象書類名】明細書
【補正対象項目名】０１６２
【補正方法】変更
【補正の内容】
【０１６２】
任意選択で、登録要求メッセージは、TAUメッセージでもよく、アタッチメッセージでもよい。コンバインド登録要求メッセージは、コンバインドTAUメッセージでもよく、コンバインドアタッチメッセージでもよい。登録承認メッセージは、TAU承認メッセージでもよく、アタッチ承認メッセージでもよい。コンバインド登録メッセージは、コンバインドTAU承認メッセージでもよく、コンバインドアタッチ承認メッセージでもよい。
【手続補正１８】
【補正対象書類名】明細書
【補正対象項目名】０１８４
【補正方法】変更
【補正の内容】
【０１８４】
任意選択で、一実施例では、受信ユニット702は、ネットワーク側デバイスにより送信されたセル輻輳情報を受信するように更に構成される。セル輻輳情報は、セル輻輳レベル及びセル情報を含む。制御ユニット701は、セル輻輳情報に従ってMMEがネットワーク輻輳にあることを決定するように具体的に構成される。
【手続補正１９】
【補正対象書類名】明細書
【補正対象項目名】０１８９
【補正方法】変更
【補正の内容】
【０１８９】
図８は、本発明の実施例によるMSCの構成ブロック図である。図８に示すMSC800は、図２又は図３Ａ及び図３Ｂのユーザ装置により実行される各ステップを実行してもよい。図８に示すように、MSC800は、受信ユニット801と、制御ユニット802と、送信ユニット803とを含む。
【国際調査報告】
2016513418.tif 000014
2016513418.tif 000015
2016513418.tif 000016
2016513418.tif 000017
2016513418.tif 000018
2016513418.tif 000019
2016513418.tif 000020